(57)【要約】【課題】縦抱き用シートに横抱き用のシートを装着するための装着構造を幼児側や表側に対して非露出状とすることで、幼児の快適性等を一層向上させることができる、子守帯を提供することを課題とする。【解決手段】幼児を縦抱き状態で保持するための縦抱き用シート１０と、幼児を横抱き状態で保持するための横抱き用シート５０とを備え、これら縦抱き用シート１０と横抱き用シート５０とを、それぞれの裏面を相互に当接した状態で着脱自在とした子守帯１であって、横抱き用シート５０には、オスホック１１１ａを設け、縦抱き用シート１０には、オスホック１１１ａに着脱自在に固定可能なメスホック７１ａを設け、オスホック１１１ａ及びメスホック７１ａを、縦抱き用シート１０の裏面及び横抱き用シート５０の表面に対して非露出状とした。【選択図】図４１
2007268074.tif 000002
【特許請求の範囲】
【請求項１】
幼児を縦抱き状態で保持するための縦抱き用シートと、幼児を横抱き状態で保持するための横抱き用シートとを備え、前記縦抱き用シートと前記横抱き用シートとを、それぞれの裏面を相互に当接した状態で着脱自在とした子守帯であって、
前記横抱き用シートには、第１の固定手段を設け、
前記横抱き用シート又は前記縦抱き用シートには、前記第１の固定手段に着脱自在に固定可能な第２の固定手段を設け、
前記第１の固定手段及び前記第２の固定手段を、前記縦抱き用シートの裏面及び前記横抱き用シートの表面に対して非露出状としたこと、
を特徴とする子守帯。
【請求項２】
前記横抱き用シートの裏面に、前記第１の固定手段を設け、
前記縦抱き用シートの裏面に、前記第２の固定手段と、この第２の固定手段を覆うカバー手段と、を設けたこと、
を特徴とする請求項１に記載の子守帯。
【請求項３】
前記横抱き用シートには、側方に突出する第１の突出片を設けると共に、この第１の突出片の裏面に、前記第１の固定手段を設け、
前記縦抱き用シートには、前記第１の突出片に対応する位置に突出する第２の突出片を設けると共に、この第２の突出片の裏面における前記第１の固定手段に対応する位置に前記第２の固定手段を設け、この第２の固定手段の裏面を前記カバー手段にて開閉自在に覆ったこと、
を特徴とする請求項２に記載の子守帯。
【請求項４】
前記横抱き用シートの裏面における、前記縦抱き用シートの側方に対応する位置に前記第１の固定手段を設け、
前記縦抱き用シートには、前記第１の固定手段に対応する位置に突出する突出片を設けると共に、この突出片の裏面における前記第１の固定手段に対応する位置に前記第２の固定手段を設け、この第２の固定手段の裏面を前記カバー手段にて開閉自在に覆ったこと、
を特徴とする請求項２に記載の子守帯。
【請求項５】
前記横抱き用シートの裏面に、前記縦抱き用シートに向けて延出する延出部を設けると共に、この延出部に前記第１の固定手段を設け、
前記延出部を前記縦抱き用シートの少なくとも一部を覆うことにより、前記第１の固定手段を前記第２の固定手段に固定可能としたこと、
を特徴とする請求項１に記載の子守帯。
【請求項６】
前記横抱き用シートの前記延出部を、前記縦抱き用シートの頭頂部を略覆う固定フラップとして形成すると共に、この固定フラップの表面に前記第１の固定手段を設け、
前記縦抱き用シートの表面における前記第１の固定手段に対応する位置に、前記第２の固定手段を設けたこと、
を特徴とする請求項５に記載の子守帯。
【請求項７】
前記横抱き用シートの前記延出部を、前記縦抱き用シートの頭頂部から中央部を略覆うものであって、前記縦抱き用シートの側方に突出する固定フラップとして形成し、
前記固定フラップの表面における、前記縦抱き用シートの側方に対応する位置に前記第１の固定手段を設け、
前記横抱き用シートの裏面における、前記第１の固定手段に対応する位置に前記第２の固定手段を設けたこと、
を特徴とする請求項５に記載の子守帯。
【請求項８】
前記横抱き用シートの前記延出部を、前記横抱き用シートの頭頂部に設けたフラップとして形成すると共に、このフラップの裏面に前記第１の固定手段と前記第２の固定手段とを設け、
前記縦抱き用シートの頭頂部に前記フラップを挿脱自在に挿通させるフラップ通しを設け、
前記フラップ通しに前記フラップを挿通させ、当該フラップを折り返した状態で、前記第１の固定手段と前記第２の固定手段とが相互に対応する位置に配置されること、
を特徴とする請求項５に記載の子守帯。
【請求項９】
前記横抱き用シートの前記延出部を、前記横抱き用シートの左右の側部から中央に向けて延出するものであって、前記縦抱き用シートの表面の一部を覆う一対の固定ベルトとして形成すると共に、各固定ベルトの裏面に前記第１の固定手段を設け、
前記縦抱き用シートの表面には、前記第１の固定手段の各々に対応する位置に前記第２の固定手段を設けると共に、この前記第２の固定手段を覆うカバー手段を設けたこと、
を特徴とする請求項５に記載の子守帯。
【請求項１０】
前記横抱き用シートの前記延出部を、前記横抱き用シートの裏面に設けたフラップとして形成すると共に、このフラップの表面に前記第１の固定手段を設け、
前記横抱き用シートの裏面における前記第１の固定手段に対応する位置に、前記第２の固定手段を設け、
前記縦抱き用シートの裏面に、前記フラップを挿脱自在に挿通させるフラップ通しを設け、このフラップ通しに前記フラップを挿通させた状態で、前記第１の固定手段と前記第２の固定手段とが相互に対応する位置に配置されること、
を特徴とする請求項５に記載の子守帯。
【請求項１１】
前記縦抱き用シートの裏面と前記横抱き用シートの裏面のそれぞれに、相互に係脱自在に係止する面ファスナを設けたこと、
を特徴とする請求項１から１０のいずれか一項に記載の子守帯。
【請求項１２】
幼児を縦抱き状態で保持するための縦抱き用シートと、幼児を横抱き状態で保持するための横抱き用シートとを備え、前記横抱き用シートを前記縦抱き用シートに着脱自在とした子守帯であって、
前記縦抱き用シートには、複数のベルトを設け、
前記横抱き用シートには、前記ベルトに向けて突出するものであって、これら複数のベルトを結束するべルトまとめを設けたこと、
を特徴とする子守帯。
【請求項１３】
前記縦抱き用シートには、当該縦抱き用シートの下端近傍位置から、使用者の脇下に向けて延出される脇ベルトと、幼児の脚上に向けて延出される足繰りベルトとを設け、
前記べルトまとめは、前記横抱き用シートから前記下端近傍位置に向けて延出され、この下端近傍位置において前記脇ベルト及び前記足繰りベルトを結束すること、
を特徴とする請求項１２に記載の子守帯。
【発明の詳細な説明】
【技術分野】
【０００１】
本発明は、幼児を保持するための子守帯に関する。
【背景技術】
【０００２】
子守帯を用いて幼児を保持する態様は、幼児を水平状に寝かせた状態で保持する横抱きと、幼児を垂直状に立たせた状態で保持する縦抱きと、の２種類に大別できる。一般には、これら横抱きと縦抱きとは幼児の成長に伴って切り換えられ、首がすわる前の幼児は横抱きで保持し、首がすわっている幼児は縦抱きで保持する。
【０００３】
このような事情に鑑みて、従来から、横抱きと縦抱きとを切り換えて幼児を保持することができる子守帯が提案されている。具体的には、縦抱きに使用する縦抱き用シートと、横抱きに使用する横抱き用シートとを備え、縦抱き時には縦抱き用シートのみを使用可能とし、横抱き時には縦抱き用シートに横抱き用シートを着脱自在に取り付けて使用可能とする子守帯が提案されている（例えば、特許文献１参照）。
【０００４】
このような従来の子守帯においては、縦抱き用シートに横抱き用シートを装着するため、縦抱き用シートの裏面（幼児側の面）や側面にホックを設けると共に、横抱き用シートの裏面（縦抱き用の子守帯に対向する面）や側面にもホックを設け、これらホックを相互に係脱自在に係止させていた。
【０００５】
【特許文献１】特開２００４−１８１２６８号公報
【発明の開示】
【発明が解決しようとする課題】
【０００６】
しかしながら、このような従来の子守帯においては、縦抱き用シートに横抱き用のシートを装着して使用している状態において、これらの側面に設けたホックが幼児に触れる可能性があったり、あるいは、縦抱き用シートのみを使用している状態において、この縦抱き用シートの裏面に設けたホックが幼児に触れる可能性があったので、幼児に不快感を与える可能性があった。
【０００７】
また、従来の子守帯においては、縦抱き用シートに横抱き用のシートを装着しているものの、縦抱き用シートに取り付けられた各種のベルトについては横抱き用のシートに対して何ら固定されていなかったので、これらのベルトが横抱き用のシートの周囲に沿って自由に移動してしまい、使用者による子守帯の使用の邪魔になったり、幼児に触れる可能性があった。
【０００８】
本発明は、上記に鑑みてなされたものであって、縦抱き用シートに横抱き用のシートを装着するための装着構造を幼児側や表側に対して非露出状とすることで、幼児の快適性等を一層向上させることができる、子守帯を提供することを目的とする。
【課題を解決するための手段】
【０００９】
上述した目的を達成するために、本発明に係る子守帯は、例えば、下記のように構成されている。なお、以下の括弧内には、本発明に係る後述する実施の形態において説明する構成要件の符号のうちの一部を例示するが、括弧内の符号はあくまで例示であり、実施の形態において説明した構成要件のうちで括弧内の符号にて示されていない構成要件や、実施の形態において説明していない構成要件についても、本発明の構成要件に対応し得る。
【００１０】
上述した課題を解決し、目的を達成するために本発明は、幼児を縦抱き状態で保持するための縦抱き用シート（１０）と、幼児を横抱き状態で保持するための横抱き用シート（５０）とを備え、これら縦抱き用シート（１０）と横抱き用シート（５０）とを、それぞれの裏面を相互に当接した状態で着脱自在とした子守帯（１）であって、横抱き用シート（５０）には、第１の固定手段（１１１ａ、１１２ａ、１４０ａ、１４１ａ、１４３ａ、１４３ｂ、１４４ａ、１４６ａ、１４８ａ）、を設け、横抱き用シート（５０）又は縦抱き用シート（１０）には、第１の固定手段（１１１ａ、１１２ａ、１４０ａ、１４１ａ、１４３ａ、１４３ｂ、１４４ａ、１４６ａ、１４８ａ）に着脱自在に固定可能な第２の固定手段（７１ａ、７２ａ、１１ａ、５１ａ、５１ｂ、１４４ｂ、１４７ｂ）を設け、第１の固定手段（１１１ａ、１１２ａ、１４０ａ、１４１ａ、１４３ａ、１４３ｂ、１４４ａ、１４６ａ、１４８ａ）及び第２の固定手段（７１ａ、７２ａ、１１ａ、５１ａ、５１ｂ、１４４ｂ、１４７ｂ）を、縦抱き用シート（１０）の裏面及び横抱き用シート（５０）の表面に対して非露出状として構成されている。
【００１１】
この発明によれば、縦抱き用シート（１０）と横抱き用シート（５０）とを相互に固定するための第１の固定手段（１１１ａ、１１２ａ、１４０ａ、１４１ａ、１４３ａ、１４３ｂ、１４４ａ、１４６ａ、１４８ａ）及び第２の固定手段（７１ａ、７２ａ、１１ａ、５１ａ、５１ｂ、１４４ｂ、１４７ｂ）を、横抱き用シート（５０）の表面に対して非露出状としているので、これら第１の固定手段（１１１ａ、１１２ａ、１４０ａ、１４１ａ、１４３ａ、１４３ｂ、１４４ａ、１４６ａ、１４８ａ）及び第２の固定手段（７１ａ、７２ａ、１１ａ、５１ａ、５１ｂ、１４４ｂ、１４７ｂ）が幼児に触れることを防止でき、幼児の快適性を一層向上させることができる。さらに、これら第１の固定手段（１１１ａ、１１２ａ、１４０ａ、１４１ａ、１４３ａ、１４３ｂ、１４４ａ、１４６ａ、１４８ａ）及び第２の固定手段（７１ａ、７２ａ、１１ａ、５１ａ、５１ｂ、１４４ｂ、１４７ｂ）を、縦抱き用シート（１０）に対して非露出状としているので、これら第１の固定手段（１１１ａ、１１２ａ、１４０ａ、１４１ａ、１４３ａ、１４３ｂ、１４４ａ、１４６ａ、１４８ａ）及び第２の固定手段（７１ａ、７２ａ、１１ａ、５１ａ、５１ｂ、１４４ｂ、１４７ｂ）が子守帯（１）の表側に露出することを防止でき、子守帯（１）の意匠性を高めることができる。
【００１２】
このような効果を得るためのより具体的な構造としては、例えば、横抱き用シート（５０）の裏面に、第１の固定手段（１１１ａ、１１２ａ、１４０ａ）を設け、縦抱き用シート（１０）の裏面に、第２の固定手段（７１ａ、７２ａ）と、この第２の固定手段（７１ａ、７２ａ）を覆うカバー手段（７１、７２）とを設けることができる。
【００１３】
この発明によれば、第１の固定手段（１１１ａ、１１２ａ、１４０ａ）や第２の固定手段（７１ａ、７２ａ）が裏面側に設けられているので、これらが子守帯（１）の表側に露出することを防止でき、子守帯（１）の意匠性を高めることができる。また、第１の固定手段（１１１ａ、１１２ａ、１４０ａ）及び第２の固定手段（７１ａ、７２ａ）をカバー手段（７１、７２）にて覆うことで、これらが幼児に触れることを防止でき、幼児の快適性を一層向上させることができる。
【００１４】
このような構造を一層具体的に特定すると、例えば、横抱き用シート（５０）には、側方に突出する第１の突出片（１１１）を設けると共に、この第１の突出片（１１１）の裏面に、第１の固定手段（１１１ａ）を設け、縦抱き用シート（１０）には、第１の突出片（１１１）に対応する位置に突出する第２の突出片（７１）を設けると共に、この第２の突出片（７１）の裏面における第１の固定手段（１１１ａ）に対応する位置に第２の固定手段（７１ａ）を設け、この第２の固定手段（７１ａ）の裏面をカバー手段（７２）にて開閉自在に覆うことができる。
【００１５】
この場合には、第１の突出片（１１１）と第２の突出片（７１）とを重合させることで、第１の固定手段（１１１ａ）と第２の固定手段（７１ａ）とを固定できる。ここで、第１の固定手段（１１１ａ）や第２の固定手段（７１ａ）が裏面側に設けられているので、これらが子守帯（１）の表側に露出することを防止でき、子守帯（１）の意匠性を高めることができる。また、第２の固定手段（７１ａ）をカバー手段（７２）にて開閉自在に覆うことで、これらが幼児に触れることを防止でき、幼児の快適性を一層向上させることができる。
【００１６】
あるいは、横抱き用シート（５０）の裏面における、縦抱き用シート（１０）の側方に対応する位置に第１の固定手段（１４０ａ）を設け、縦抱き用シート（１０）には、第１の固定手段（１４０ａ）に対応する位置に突出する突出片（７１）を設けると共に、この突出片（７１）の裏面における第１の固定手段（１４０ａ）に対応する位置に第２の固定手段（７１ａ）を設け、この第２の固定手段（７１ａ）の裏面をカバー手段（７２）にて開閉自在に覆ってもよい。
【００１７】
この場合には、第１の固定手段（１４０ａ）と突出片（７１）とを重合させることで、第１の固定手段（１４０ａ）と第２の固定手段（７１ａ）とを固定できる。そして、第１の固定手段（１４０ａ）や第２の固定手段（７１ａ）が裏面側に設けられているので、これらが子守帯（１）の表側に露出することを防止でき、子守帯（１）の意匠性を高めることができる。また、第２の固定手段（７１ａ）をカバー手段（７２）にて開閉自在に覆うことで、第２の固定手段（７１ａ）が幼児に触れることを防止でき、幼児の快適性を一層向上させることができる。
【００１８】
あるいは、上記の効果を得るためのより具体的な他の構造としては、横抱き用シート（５０）の裏面に、縦抱き用シート（１０）に向けて延出する延出部（１４１、１４３、１４４、１４６、１４８）を設けると共に、この延出部（１４１、１４３、１４４、１４６、１４８）に第１の固定手段（１４１ａ、１４３ａ、１４３ｂ、１４４ａ、１４６ａ、１４８ａ）を設け、延出部（１４１、１４３、１４４、１４６、１４８）にて縦抱き用シート（１０）の少なくとも一部を覆うことにより、第１の固定手段（１４１ａ、１４３ａ、１４３ｂ、１４４ａ、１４６ａ、１４８ａ）を第２の固定手段（１１ａ、５１ａ、５１ｂ、１４４ｂ、１４７ｂ）に固定可能としてもよい。
【００１９】
この発明によれば、延出部（１４１、１４３、１４４、１４６、１４８）にて縦抱き用シート（１０）を覆うことで、延出部（１４１、１４３、１４４、１４６、１４８）にて縦抱き用シート（１０）を挟持でき、横抱き用シート（５０）を縦抱き用シート（１０）に対して仮固定できるので、横抱き用シート（５０）の装着作業が一層容易になる。
【００２０】
このような構造を一層具体的に特定すると、例えば、横抱き用シート（５０）の延出部（１４１）を、縦抱き用シート（１０）の頭頂部を略覆う固定フラップ（１４１）として形成すると共に、この固定フラップ（１４１）の表面に第１の固定手段（１４１ａ）を設け、縦抱き用シート（１０）の表面における第１の固定手段（１４１ａ）に対応する位置に、第２の固定手段（１１ａ）を設けてもよい。
【００２１】
この場合には、固定フラップ（１４１）にて縦抱き用シート（１０）の頭頂部を略覆うことで、横抱き用シート（５０）を縦抱き用シート（１０）に対して仮固定できる。また、第１の固定手段（１４１ａ）と第２の固定手段（１１ａ）とが固定フラップ（１４１）にて覆われるので、これら第１の固定手段（１４１ａ）と第２の固定手段（１１ａ）とを表側と裏側のいずれに対しても非露出状とでき、幼児の快適性や子守帯（１）の意匠性を高めることができる。
【００２２】
あるいは、横抱き用シート（５０）の延出部（１４３）を、縦抱き用シート（１０）の頭頂部から中央部を略覆うものであって、縦抱き用シート（１０）の側方に突出する固定フラップ（１４３）として形成し、この固定フラップ（１４３）の表面における、縦抱き用シート（１０）の側方に対応する位置に第１の固定手段（１４３ａ、１４３ｂ）を設け、横抱き用シート（５０）の裏面における、第１の固定手段（１４３ａ、１４３ｂ）に対応する位置に第２の固定手段（５１ａ、５１ｂ）を設けてもよい。
【００２３】
この場合には、固定フラップ（１４３）にて縦抱き用シート（１０）の頭頂部から中央部を略覆うことで、横抱き用シート（５０）を縦抱き用シート（１０）に対して仮固定できる。また、第１の固定手段（１４３ａ、１４３ｂ）と第２の固定手段（５１ａ、５１ｂ）とが固定フラップ（１４３）にて覆われるので、これら第１の固定手段（１４３ａ、１４３ｂ）と第２の固定手段（５１ａ、５１ｂ）とを表側と裏側のいずれに対しても非露出状とでき、幼児の快適性や子守帯（１）の意匠性を高めることができる。
【００２４】
あるいは、横抱き用シート（５０）の延出部を、横抱き用シート（５０）の頭頂部に設けたフラップ（１４４）として形成すると共に、このフラップ（１４４）の裏面に第１の固定手段（１４４ａ）と第２の固定手段（１４４ｂ）とを設け、縦抱き用シート（１０）の頭頂部にフラップ（１４４）を挿脱自在に挿通させるフラップ通し（１４５）を設け、フラップ通し（１４５）にフラップ（１４４）を挿通させ、フラップ（１４４）を折り返した状態で、第１の固定手段（１４４ａ）と第２の固定手段（１４４ｂ）とが相互に対応する位置に配置されるようにしてもよい。
【００２５】
この場合には、フラップ通し（１４５）にフラップ（１４４）を挿通させることで、横抱き用シート（５０）を縦抱き用シート（１０）に対して仮固定できる。また、第１の固定手段（１４４ａ）と第２の固定手段（１４４ｂ）とは、フラップ（１４４）を折り返えすことで相互に対応する位置に配置されるので、これら第１の固定手段（１４４ａ）と第２の固定手段（１４４ｂ）とをフラップ（１４４）の内側に配置でき、表側と裏側のいずれに対しても非露出状とできるので、幼児の快適性や子守帯（１）の意匠性を高めることができる。
【００２６】
あるいは、横抱き用シート（５０）の延出部（１４６）を、横抱き用シート（５０）の左右の側部から中央に向けて延出するものであって、縦抱き用シート（１０）の表面の一部を覆う一対の固定ベルト（１４６）として形成すると共に、各固定ベルト（１４６）の裏面に第１の固定手段（１４６ａ）を設け、縦抱き用シート（１０）の表面には、第１の固定手段（１４６ａ）の各々に対応する位置に第２の固定手段（１４７ｂ）を設けると共に、この第２の固定手段（１４７ｂ）を覆うカバー手段（１４７）を設けてもよい。
【００２７】
この場合には、一対の固定ベルト（１４６）にて縦抱き用シート（１０）の表面の一部を覆うことで、横抱き用シート（５０）を縦抱き用シート（１０）に対して仮固定できる。また、第１の固定手段（１４６ａ）と第２の固定手段（１４７ｂ）とがカバー手段（１４７）にて覆われるので、表側と裏側のいずれに対しても非露出状とでき、幼児の快適性や子守帯（１）の意匠性を高めることができる。
【００２８】
あるいは、横抱き用シート（５０）の延出部（１４８）を、横抱き用シート（５０）の裏面に設けたフラップ（１４８）として形成すると共に、このフラップ（１４８）の表面に第１の固定手段（１４８ａ）を設け、横抱き用シート（５０）の裏面における第１の固定手段（１４８ａ）に対応する位置に、第２の固定手段（５１ａ）を設け、縦抱き用シート（１０）の裏面に、フラップ（１４８）を挿脱自在に挿通させるフラップ通し（１４９、１５０ａ）を設け、このフラップ通し（１４９、１５０ａ）にフラップ（１４８）を挿通させた状態で、第１の固定手段（１４８ａ）と第２の固定手段（５１ａ）とが相互に対応する位置に配置されるようにしてもよい。
【００２９】
この場合には、フラップ（１４８）をフラップ通し（１４９、１５０ａ）に挿通させることで、横抱き用シート（５０）を縦抱き用シート（１０）に対して仮固定できる。また、第１の固定手段（１４８ａ）と第２の固定手段（５１ａ）とがフラップ（１４８）にて覆われるので、表側と裏側のいずれに対しても非露出状とでき、幼児の快適性や子守帯（１）の意匠性を高めることができる。
【００３０】
また、この発明は、上記の構成に加えて、又は、上記の構成に代えて、縦抱き用シートの裏面と横抱き用シートの裏面のそれぞれに、相互に係脱自在に係止する面ファスナ（１１３）を設けて構成されている。
【００３１】
この場合には、面ファスナ（１１３）を用いることで、横抱き用シート（５０）を縦抱き用シート（１０）に対して固定できる。特に、面ファスナ（１１３）を縦抱き用シート（１０）や横抱き用シート（５０）の裏面に設けているので、横抱き用シート（５０）を縦抱き用シート（１０）に装着した状態では、この面ファスナ（１１３）を表側と裏側のいずれに対しても非露出状とでき、幼児の快適性や子守帯（１）の意匠性を高めることができる。
【００３２】
また、この発明は、上記の構成に加えて、又は、上記の構成に代えて、幼児を縦抱き状態で保持するための縦抱き用シート（１０）と、幼児を横抱き状態で保持するための横抱き用シート（５０）とを備え、横抱き用シート（５０）を縦抱き用シート（１０）に着脱自在とした子守帯であって、縦抱き用シート（１０）には、複数のベルト（１５、１６）を設け、横抱き用シート（５０）には、ベルト（１５、１６）に向けて突出するものであって、これら複数のベルト（１５、１６）を結束するべルトまとめ（５４）を設けて構成されている。
【００３３】
この発明によれば、複数のベルト（１５、１６）をべルトまとめ（５４）にて結束できるので、ベルト（１５、１６）やその余長部分が使用者や幼児等に引っ掛ることを防止できると共に、子守帯（１）の外観をすっきりさせてその意匠性を向上させることができる。また、このようにベルトまとめ（５４）によってベルト（１５、１６）を保持することで、このベルト（１５、１６）が横抱き用シート（５０）から一定の角度で立ち上がるようにできるので、ベルト（１５、１６）が左右あるいは上方に引っ張られて幼児側に傾くことを防止でき、幼児の居住空間を確保できる。
【００３４】
この構造を一層具体的に特定すると、縦抱き用シート（１０）には、この縦抱き用シート（１０）の下端近傍位置から、使用者の脇下に向けて延出される脇ベルト（１５）と、幼児の脚上に向けて延出される足繰りベルト（１６）とを設け、べルトまとめ（５４）は、横抱き用シート（５０）から下端近傍位置に向けて延出され、この下端近傍位置において脇ベルト（１５）及び足繰りベルト（１６）を結束するように構成できる。
【００３５】
この場合、脇ベルト（１５）及び足繰りベルト（１６）をべルトまとめ（５４）にて結束できるので、脇ベルト（１５）及び足繰りベルト（１６）やその余長部分が使用者や幼児等に引っ掛ることを防止できると共に、子守帯（１）の外観をすっきりさせてその意匠性を向上させることができる。また、このようにベルトまとめ（５４）によって足繰りベルト（１６）を保持することで、この足繰りベルト（１６）が横抱き用シート（５０）の下端から前方に向けて一定の角度で立ち上がるようにできるので、足繰りベルト（１６）が左右あるいは上方に引っ張られて幼児側に傾くことを防止でき、幼児の居住空間を確保できる。
【発明の効果】
【００３６】
この発明によれば、第１の固定手段及び第２の固定手段が幼児に触れることを防止でき、幼児の快適性を一層向上させることができる。さらに、これら第１の固定手段及び第２の固定手段を、縦抱き用シートに対して非露出状としているので、これら第１の固定手段及び第２の固定手段が子守帯の表側に露出することを防止でき、子守帯の意匠性を高めることができる。あるいは、ベルトやその余長部分が使用者や幼児等に引っ掛ることを防止できると共に、子守帯の外観をすっきりさせてその意匠性を向上させることができる。また、このようにベルトまとめによってベルトを保持することで、このベルトが横抱き用シートから一定の角度で立ち上がるようにできるので、ベルトが左右あるいは上方に引っ張られて幼児側に傾くことを防止でき、幼児の居住空間を確保できる。
【発明を実施するための最良の形態】
【００３７】
以下に添付図面を参照して、本発明に係る子守帯を実施するための最良の形態について詳細に説明する。ただし、この実施の形態によって本発明が限定されるものではない。以下では、子守帯の基本構成について説明した後、子守帯の各部の詳細構成を説明し、さらに本実施の形態の変形例について説明する。
【００３８】
（子守帯の基本構成）
最初に、子守帯の基本構成について説明する。図１は子守帯の全体斜視図、図２は子守帯の分解斜視図である。子守帯１は、幼児を保持するための保持具であり、使用者（例えば幼児の親）が装着する縦抱き用シート１０と、この縦抱き用シート１０に着脱自在に装着される横抱き用シート５０とを備えて構成されている。なお、以下の説明においては、特に説明なき限り、図１のＸ方向を右方、Ｙ方向を前方、Ｚ方向を上方とし、これらに逆行する方向をそれぞれ左方、後方、下方とする。また、縦抱き用シート１０と横抱き用シート５０に関しては、相互に当接する面をそれぞれの裏面とし、この裏面と反対側の面をそれぞれの表面とすると共に、必要に応じて、上下方向を長手方向と称することがあり、左右方向を幅方向と称することがある。
【００３９】
ここで、子守帯１を用いて幼児を保持する際の態様について説明する。この態様としては、「横抱き」、「縦抱き」、又は、「おんぶ」の３つの態様があり、さらに「縦抱き」には、「前抱き」と「対面抱き」があり、おんぶには、「通常のおんぶ」と「クロスおんぶ」とがあり、総計で５つの態様がある。そして、使用者は自己のニーズに応じてこれら５つの態様のうちのいずれか一つの態様を選択し、幼児を保持できる。
【００４０】
横抱きは、図３に示すように、使用者の前方において幼児を略水平状に寝かせた状態で保持する態様である。縦抱きは、使用者の前方において幼児を略垂直状に立たせた状態で保持する態様であり、そのうちの対面抱きは、図４に示すように、幼児を後方（使用者側）に向かせた状態で保持する態様、前抱きは、図５に示すように、幼児を前方に向かせた状態で保持する態様である。おんぶは、使用者の後方において幼児を略垂直状に立たせた状態で背負う態様であり、そのうちの通常のおんぶは、図６に示すように、後述する左右一対の肩帯（図６では図示せず）を相互に交差させない状態で懸架する態様、クロスおんぶは、図７に示すように、左右一対の肩帯を相互に交差させた状態で懸架する態様である。
【００４１】
一般に、出産後から数ヶ月迄の月齢の幼児は首がすわっていないために横抱きにて保持し、その後は幼児を縦抱きにて保持する。このため、本実施の形態に係る子守帯１は、横抱きを行なう時にのみ、横抱き用シート５０を縦抱き用シート１０に装着して使用し、その後には、横抱き用シート５０を取り外して縦抱き用シート１０のみを使用可能とすることで、子守帯１の汎用性と利便性とを高めている。
【００４２】
（縦抱き用シート１０の基本構成）
次に、縦抱き用シート１０の基本構成について説明する。図８は縦抱き用シート１０の斜視図、図９は縦抱き用シート１０の正面図、図１０は縦抱き用シート１０の背面図である。縦抱き用シート１０は、概略的に、縦抱き用シート本体１１に、ヘッドサポート１２、肩帯１３、ブリッジベルト１４、脇ベルト１５、及び、足繰りベルト１６を取り付けて構成されている。
【００４３】
縦抱き用シート本体１１は、横抱き用シート５０を載置するための載置面を形成すると共に、幼児を直接的に保持するための保持面を形成するもので、縦抱き用シート１０の基本構造体である。この機能を満たす限りにおいて、縦抱き用シート本体１１は任意の形状で形成できるが、本実施の形態の縦抱き用シート本体１１は、全体として縦長の略平板状に形成されており、幼児の首周辺から股部周辺に略対応する長さと、幼児の胴部に略対応する幅とを有する。この縦抱き用シート本体１１は、幼児を保持する際の態様の変化や幼児の動作に追従可能な柔軟性を有することが好ましく、例えば、ウレタン等にて形成されたクッション材の前後面をそれぞれ表生地と裏生地にて被覆して形成されている（なお、クッション材、表生地、及び、裏生地は、図８〜１０において図示せず）。また、これら表生地及び裏生地のうち、幼児の上半身に対応する部分は、通気性に優れたメッシュ生地にて構成されており、幼児の快適性や子守帯１の意匠性の向上が図られている。
【００４４】
ヘッドサポート１２は、幼児の頭部の荷重をサポートすると共に、幼児の反り返りを防ぐための頭部支持手段である。この機能を満たす限りにおいて、ヘッドサポート１２は任意の形状で形成できるが、本実施の形態のヘッドサポート１２は、全体として横長の帯状に形成されており、幼児の首周辺から頭頂部周辺に至る高さと、縦抱き用シート本体１１よりもやや広い幅を有する。このヘッドサポート１２は、クッション材をメッシュ生地からなる表生地及び裏生地で被覆して形成されており、ヘッドサポート１２の柔軟性が確保されると共に、幼児の快適性や子守帯１の意匠性の向上が図られている。このヘッドサポート１２の下縁は、縦抱き用シート本体１１の上縁に対して縫合ライン１７において縫合されており、この縫合ライン１７を中心軸として、ヘッドサポート１２を表側に折り返すことができる。このため、図５に示す前抱き時において、縦抱き用シート本体１１の上方を開放でき、前方に向けられている幼児の顔を開放できるので、幼児の快適性を向上できる。
【００４５】
肩帯１３は、使用者の肩周りに装着されるもので、縦抱き用シート１０に加わる幼児の荷重を使用者が吊り下げ状に支持するための支持手段である。この肩帯１３は、縦抱き用シート本体１１の左右の各々に設けられており、この縦抱き用シート本体１１の側辺から延出し、使用者の肩を回って、使用者の胸元又は背中に至る長さに形成されている。この肩帯１３は、脇ベルト１５や足繰りベルト１６よりもやや幅広状に形成されているので、この肩帯１３を介して使用者の肩に加わる荷重を分散させることで、使用者の負担軽減を図ることができる。また、図１１の肩帯１３の拡大正面図に示すように、各肩帯１３における相互に対向する側辺には、長手方向の中央付近に、ファスナ１８が設けられている。従って、一対の肩帯１３をファスナ１８にて相互に連結して、図１２の正面図に示すように１本の拡幅された帯状体を構成でき、図３のような横抱っこ時において肩帯１３を袈裟懸けする場合に、肩帯１３を肩から脱落し難くすることができると共に荷重を一層均等に分散させることができ、使用者の一層の負担軽減を図ることができる。
【００４６】
図８〜１０に戻り、このように構成されたヘッドサポート１２と肩帯１３とは、ヘッドサポートベルト２０を介して相互に連結されている。図１３はヘッドサポートベルト周辺の拡大正面図、図１４は後述する裏面カバー７２を開いた状態におけるヘッドサポートベルト周辺の拡大正面図、図１５は連結を解除した状態におけるヘッドサポートベルト周辺の拡大正面図である。ヘッドサポートベルト２０は、ヘッドサポート１２と肩帯１３とを相互に連結する連結手段であり、ヘッドサポート１２の両端から左右側方に向けて突設されている。
【００４７】
このヘッドサポートベルト２０は、縦抱き用シート本体１１に突設された帯状のベルト本体２１と、このベルト本体２１の先端に設けられた長さ調整用のラダーロック２２と、このラダーロック２２の端部に一体形成されたフック２３とを備えて構成されている。一方、肩帯１３には、このフック２３に対応する位置に、リング２４が取り付けられている。そして、このリング２４にフック２３を係脱自在に係止させることで、ヘッドサポート１２を肩帯１３に連結でき、幼児の頭部の荷重を肩帯１３を介して支持することを可能として、幼児の頭部を一層安定的に保持できる。また、このようにヘッドサポート１２と肩帯１３とを連結することで、一対の肩帯１３の上方における相互間隔を維持できるので、使用者の肩への負担を軽減できる。また、ラダーロック２２に対するベルト本体２１の挿通長さを変えることで、縦抱き用シート本体１１からのベルト本体２１の突出長さを調整でき、ヘッドサポート１２と肩帯１３との相互間隔を調整できるので、幼児の月齢や体型に合わせて幼児の居住スペースの広さを調整できる。このようにヘッドサポート１２を肩帯１３に連結した状態においては、図９、１０に示すように、縦抱き用シート本体１１、ヘッドサポート１２、及び、肩帯１３にて囲繞された開口である腕口２５が形成され、この腕口２５に幼児の腕を出し入れ自在に挿通させることができる。
【００４８】
図８、９において、ブリッジベルト１４は、左右の肩帯１３を相互に連結する連結手段である（図８、９ではブリッジベルト１４が後述するポケット９０に収容されている状態を示す）。図１６は連結状態におけるブリッジベルト周辺の拡大正面図である。ブリッジベルト１４は、一方の肩帯１３（本実施の形態では左方の肩帯１３）における縦抱き用シート本体１１との接合箇所の周辺に設けられており、この肩帯１３から他方の肩帯１３（本実施の形態では右方の肩帯１３）に向けて延出する帯状体として形成されている。このブリッジベルト１４の先端には、メスバックル２６が設けられており、一方、他方の肩帯１３（本実施の形態では右方の肩帯１３）における縦抱き用シート本体１１との接合箇所の周辺には、メスバックル２６に対応する位置に、オスバックル２７が設けられている（図１６では、オスバックル２７がメスバックル２６に収容されている状態を示す）。
【００４９】
メスバックル２６には、オスバックル２７を収容する図示しない空間部が形成されていると共に、この空間部には図示しない係止突起が設けられている。そして、この空間部にオスバックル２７を差し入れることで、このオスバックル２７に係止突起が係脱自在に係止する。従って、ブリッジベルト１４を介して左右の肩帯１３を相互に連結でき、これら肩帯１３の相互間隔を維持することができるので、使用者の一層の負担軽減を図ることができる。なお、メスバックル２６には操作部２６ａが設けられており、この操作部２６ａを押圧してメスバックル２６を弾性変形させることで、オスバックル２７に対する係止突起の係止が解除され、ブリッジベルト１４による連結を解除することができる。
【００５０】
再び図８、９において、脇ベルト１５は、肩帯１３と縦抱き用シート本体１１とを相互に連結する連結手段である。この脇ベルト１５の上端は、後述する回転バックル３０を介して肩帯１３の先端に連結されており、また脇ベルト１５の下端は、ラダーロック２８を介して縦抱き用シート本体１１の下端に連結されている。そして、使用者は自己の体型に応じて、このラダーロック２８に対する脇ベルト１５の挿通量を変えることで、肩帯１３と縦抱き用シート本体１１との間隔を調整でき、肩帯１３を自己にフィットさせることができる。また、図２に示すように、左右の脇ベルト１５の一方（本実施の形態では右方の脇ベルト１５）の下端近傍位置には、結束ゴム２９が設けられている。この結束ゴム２９は、円環状の弾性体であり、他方の脇ベルト１５（本実施の形態では左方の脇ベルト１５）の下端をこの結束ゴム２９の内部に挿通させることで、これら左右の脇ベルト１５の下端を相互に結束でき、脇ベルト１５が不用意にバラバラになって使用者の邪魔になること等を防止できる。
【００５１】
このように構成された肩帯１３と脇ベルト１５とは、図９に示すように、回転バックル３０を介して相互に連結されている。図１７は回転バックル３０の正面図、図１８は回転バックル３０の底面図、図１９は取り外し状態における回転バックル３０（一部を破断して示す）の斜視図である。回転バックル３０は、オスバックル３１とメスバックル３２とを備え、オスバックル３１を介して一方の肩帯１３と脇ベルト１５（本実施の形態では右側の肩帯１３と脇ベルト１５）とが相互に連結され、メスバックル３２を介して他方の肩帯１３と脇ベルト１５（本実施の形態では左側の肩帯１３と脇ベルト１５）とが相互に連結される。また、これらオスバックル３１とメスバックル３２とを相互に連結させることで、使用者の前方で左右の肩帯１３を相互に連結でき、図７に示すクロスおんぶを行なうことが可能となるので、使用者に加わる荷重を一層分散できる。
【００５２】
図１７〜１９に示すように、オスバックル３１は、ベース３３とタング３４とを一体に備え、ベース３３に設けたリング３３ａに肩帯１３を連結でき、同じくベース３３に設けたスリット３３ｂに脇ベルト１５を連結できる。タング３４は、円環状に形成されており、その環内には、非押圧状態においては当該タング３４よりも裏側（使用者側）にやや突出するものであって、表側に向けて弾性変形自在の操作部３４ａが設けられている。一方、メスバックル３２は、ベース３５とソケット３６とを一体に備え、ベース３５に設けたリング３５ａに肩帯１３を連結でき、ベース３５に設けたスリット３５ｂに脇ベルト１５を連結できる。ソケット３６には、オスバックル３１のタング３４を受容する空間部３６ａが形成されており、この空間部３６ａにタング３４を挿脱自在に挿入することができる。ここで、空間部３６ａの裏側の側面は、リング３６ｂとして構成されており、空間部３６ａにタング３４を挿入した状態においては、このタング３４の操作部３４ａがリング３６ｂの環内を介して裏側に突出することで、この操作部３４ａがリング３６ｂに係脱自在に係止する。従って、オスバックル３１とメスバックル３２とが相互に連結される。この状態においては、この操作部３４ａを中心として、オスバックル３１をメスバックル３２に対して垂直面内(使用者の胸部に沿った面内）において所定範囲内で回転させることができ、使用者は自己の体型に合わせて肩帯１３や脇ベルト１５の交差角度を調整できるので、子守帯１を使用者に一層フィットさせることができる。図２０は回転バックル３０の正面図であり、回転前の回転バックル３０を想像線、回転後の回転バックル３０を実線にて示す。また、この連結状態において、使用者が操作部３４ａを裏側から表側に向けて押圧して弾性変形させることにより、この操作部３４ａとリング３６ｂとの係止が解除され、オスバックル３１とメスバックル３２との連結を解除できる。特に、操作部３４ａを回転バックル３０の裏側に設けているので、何らかの原因で表側から回転バックル３０が押圧された場合にも、オスバックル３１とメスバックル３２との連結が誤って解除されることがない。
【００５３】
再び図８、９において、足繰りベルト１６は、幼児の脚部を取り囲むもので、縦抱き用シート本体１１の側部と下端部とを相互に連結することにより、幼児の臀部に加わる荷重を縦抱き用シート本体１１を介して吊り上げ支持可能とする連結手段である。図２１は足繰りベルト１６の正面図である。足繰りベルト１６は、縦抱き用シート本体１１の下端に取り付けられた足繰りベルト本体４０と、この足繰りベルト本体４０を、縦抱き用シート本体１１における肩帯１３との接合位置の近傍に連結するゴム製の伸縮ベルト４１とを備えて構成されている。このように伸縮ベルト４１を用いているので、幼児の動きに追従してこの伸縮ベルト４１が伸縮し、縦抱き用シート本体１１の下部周辺を幼児の臀部周辺に常時密着させることができる。この伸縮ベルト４１の外側には、ベルトカバー４２が設けられており、このベルトカバー４２にて伸縮ベルト４１を略完全に覆って非露出状としている。このため、伸縮ベルト４１の伸縮状態に関わらず、ベルトカバー４２のみが外部に露出するので、子守帯１の意匠性を向上させることができる。このように足繰りベルト１６にて縦抱き用シート本体１１の側部と下端部とを連結した状態においては、図９、１０に示すように、縦抱き用シート本体１１と足繰りベルト１６にて囲繞された開口である脚口４３が形成され、この脚口４３に幼児の脚を出し入れ自在に挿通させることができる。
【００５４】
（横抱き用シート５０の基本構成）
次に、図１、２に示した横抱き用シート５０の基本構成について説明する。図２２は横抱き用シート５０の斜視図、図２３は横抱き用シート５０の正面図、図２４は横抱き用シート５０の背面図である。横抱き用シート５０は、横抱き用シート本体５１に、ヘッドガード５２、ホールドベルト５３、及び、ベルトまとめ５４、を取り付けて構成されている。
【００５５】
横抱き用シート本体５１は、幼児を直接的に保持する保持面を形成するもので、横抱き用シート５０の基本構造体である。この機能を満たす限りにおいて、横抱き用シート本体５１は任意の形状で形成できるが、本実施の形態の横抱き用シート本体５１は、全体として縦長の略平面状に形成されており、幼児を完全に載置可能な長さと幅とを有する。この横抱き用シート本体５１は、首がすわっていない幼児をその体型を維持したまま確実に保持できる程度の剛性を備えることが好ましく、図２５の横抱き用シート本体５１の縦断面図に示すように、例えば、芯材として硬質ボード５５を包含して構成されている。このように、剛性の高い硬質ボード５５を用いているので、横抱き時に幼児を略水平に支持することができ、幼児の脊柱のねじれを防止できる。また、幼児の快適性を向上させるため、硬質ボード５５の表側には発泡材５６を設けると共にこの発泡材５６を表生地５７で被覆し、硬質ボード５５の裏側にはウレタン等にて形成されたクッション材５８を設けると共にこのクッション材５８を裏生地５９で被覆している。この硬質ボード５５の複数個所には、貫通孔である通気孔５５ａを形成しているので、横抱き用シート５０の通気性を高めることができ、幼児の快適性を一層向上させることができる。
【００５６】
再び図２２〜２４に戻り、この横抱き用シート本体５１の左右の側部には、幼児の腕に対応する位置及び形状で切欠き部６０が形成されている。従って、幼児がこの切欠き部６０を介して腕を自由に外部に伸ばすことができ、幼児の快適性を高めることができる。さらに、横抱き用シート本体５１の表面には、ホールドベルト５３を除いては何も設けていないことから、この表面の上方空間を開放状とすることができ、横抱っこ時において幼児の熱を外部にスムーズに放出できるので、幼児の快適性を向上させることができる。
【００５７】
ヘッドガード５２は、横抱き時に幼児の頭部を後方から保持する保持手段である。このヘッドガード５２は、幼児の頭部に対応する半椀状に形成されており、横抱き用シート本体５１の上縁に縫合されている。このヘッドガード５２は、図示しない硬質ボードを包含して構成されており、この硬質ボードの複数個所には図示しない開口を形成しているので、このヘッドガード５２の通気性を高めることができ、幼児の快適性を一層向上させることができる。ここで、ヘッドガード５２は、横抱き用シート本体５１とは別体に形成された後、この横抱き用シート本体５１に対して縫合されている。このため、ヘッドガード５２を横抱き用シート本体５１から構造的に分断でき、横抱き用シート本体５１が変形等してもその動きがヘッドガード５２に直ちには伝わらないので、ヘッドガード５２の変形を防ぐことができ、幼児の頭部周辺の居住スペースを確保できる。
【００５８】
ホールドベルト５３は、横抱き時に幼児の胴部を上方から保持するもので、横抱き用シート本体５１の左右の側辺の一方（本実施の形態において右方）に取り付けられている。このホールドベルト５３は、幼児の胴部の上方を通り、横抱き用シート本体５１の左右の側辺の他方（本実施の形態において左方）に至る長さに形成されている。図２４に示すように、このホールドベルト５３の先端には、オスホック６１が取り付けられており、一方、横抱き用シート本体５１の左右の側辺の他方（本実施の形態において左方）には、オスホック６１に対応する位置に、メスホック６２が取り付けられている。そして、オスホック６１をメスホック６２に係脱自在に係止させることで、ホールドベルト５３を横抱き用シート本体５１に掛け渡した状態で固定することができ、このホールドベルト５３にて幼児の胴部を保持できる。
【００５９】
図２２〜２４に戻り、ベルトまとめ５４は、上述した縦抱き用シート１０の脇ベルト１５と足繰りベルト１６とを束ねる結束手段である。このベルトまとめ５４は、全体として正面略Ｔ字状に形成されており、横抱き用シート本体５１の下縁に縫合されている。そして、後述するように、このベルトまとめ５４を筒状に丸めることで、この筒状の内部空間に足繰りベルト１６と脇ベルト１５とを収容できる。
【００６０】
（縦抱き用シート１０の各部の構造の詳細−ヘッドサポートベルト２０）
次に、縦抱き用シート１０の各部の構造についてより詳細に説明する。まず、ヘッドサポートベルト２０について説明する。再び図１３〜１５に戻り、ヘッドサポートベルト２０は、ベルトカバー７０にて覆われている。このベルトカバー７０は、縦抱き用シート本体１１の表面から左右に略一体に延出する略平板状の表面カバー７１と、この表面カバー７１に取り付けられた略平板状の裏面カバー７２とを備えて構成されている。これら表面カバー７１及び裏面カバー７２は、相互に略同一形状にて形成されており、図１３に示すように、これらの相互間にヘッドサポートベルト２０を収容できる。
【００６１】
特に、この収容時には、ヘッドサポートベルト２０の表面と裏面とをそれぞれ表面カバー７１と裏面カバー７２にて覆うことができるので、ベルトカバー７０の折り曲げ状態に関わらず、ヘッドサポートベルト２０を覆うことができる。すなわち、図４、６のようにヘッドサポート１２を立てた状態においては、ヘッドサポートベルト２０の裏面を裏面カバー７２にて覆うことができ、このヘッドサポートベルト２０が幼児に当ることを防止できる。また図５のようにヘッドサポート１２を折り返した状態においても、ヘッドサポートベルト２０の表面を表面カバー７１にて覆うことができ、ヘッドサポートベルト２０が幼児に当ることを防止できる（図４〜６においては表面カバー７１及び裏面カバー７２は図示せず）。また同時に、ヘッドサポートベルト２０が表側に露出して子守帯１の意匠性を低下させることを防止できる。
【００６２】
ここで、ベルトカバー７０には、ヘッドサポートベルト２０を一層容易かつ確実に覆うための各種の工夫が施されている。すなわち、図１３〜１５に示すように、表面カバー７１と裏面カバー７２との相互の固定は、裏面カバー７２の上縁を表面カバー７１の上縁に縫合ライン７３にて縫合することによって行なわれており、この縫合ライン７３を中心として、図１４、１５のように裏面カバー７２を上方に開くことが可能である。従って、使用者は、裏面カバー７２を持ち上げるだけでヘッドサポートベルト２０を略完全に露出させることができるので、従来のように筒状のカバーを手繰りよせるような面倒な動作を行なう必要がなく、ヘッドサポートベルト２０に容易に手を伸ばしてその操作を行なうことができる。また、操作終了後には、裏面カバー７２から手を離すだけで、この裏面カバー７２が縫合ライン７３を支点として自重によって自然に垂れ下がるので、図１３に示すようにヘッドサポートベルト２０が自動的に覆われ、後述するメスホック７１ａとオスホック７２ａとによる固定を忘れた場合であっても、ヘッドサポートベルト２０が幼児に当ることを防止できる。
【００６３】
さらに、図１４、１５に示すように、表面カバー７１の下端の裏面（裏面カバー７２に対向する面）には、複数のメスホック７１ａが設けられている。また、裏面カバー７２の下端の表面（表面カバー７１に対向する面）には、複数のメスホック７１ａに対応する位置に、複数のオスホック７２ａが設けられている。そして、オスホック７２ａをメスホック７１ａに係脱自在に係止させることで、表面カバー７１と裏面カバー７２とをその下端においても相互に固定できるので、ヘッドサポートベルト２０を一層確実にカバーできる。また、メスホック７１ａやオスホック７２ａを表面カバー７１と裏面カバー７２との相互の対向面に設けたので、図１３に示すように表面カバー７１と裏面カバー７２とを閉じた状態においては、メスホック７１ａやオスホック７２ａの両方がベルトカバー７０の内側に位置するので、これらメスホック７１ａやオスホック７２ａが幼児に当ることを防止できると共に、表側に露出して子守帯１の意匠性を低下させることを防止できる。
【００６４】
ここで、上述のように、ラダーロック２２に対するベルト本体２１の挿通量を変えることで、ヘッドサポート１２からのヘッドサポートベルト２０の突出量を調整できる。図２６は最短時のヘッドサポートベルト周辺の正面図、図２７は最長時のヘッドサポートベルト周辺の正面図である。本実施の形態においては、このような調整構造によるヘッドサポートベルト２０の長さ変化に関わらず、このヘッドサポートベルト２０を常にベルトカバー７０にて覆うことができる。具体的には、表面カバー７１及び裏面カバー７２は、ベルト本体２１の最短時の長さ（Ｌ１）を超え、さらにベルト本体２１の最長時の長さ（Ｌ２）以上の長さにて形成されており、従って、図２７のようにヘッドサポートベルト２０を最長に伸ばした状態においても、このヘッドサポートベルト２０をカバーでき、ヘッドサポートベルト２０が幼児に当ること等を確実に防止できる。
【００６５】
また、このようにヘッドサポートベルト２０の突出量を調整することで、ベルト本体２１が余る場合があり、この場合には、図２６に示すように、この余長部分２１ａがラダーロック２２にて折り返されてヘッドサポート１２の方へ向き、ベルトカバー７０から露出する可能性がある。このため、ヘッドサポート１２には、ヘッドサポートベルト２０の取り付け位置の近傍に、袋状のベルトポケット１２ａを設けている。このベルトポケット１２ａは、ヘッドサポート１２の端部に形成された空間部であり、余長部分２１ａの最大長さ（Ｌ３）以上の長さを有する。このベルトポケット１２ａは、ヘッドサポートベルト２０に対向する面に開口１２ｂを有し、この開口１２ｂを介して、ベルト本体２１の余長部分２１ａをベルトポケット１２ａに差し入れることができる。従って、ベルト本体２１が余った場合であっても、その余長部分２１ａをベルトポケット１２ａに差し込むだけで非露出状とすることができ、この余長部分２１ａが、幼児に当たることや、幼児によっていたずらされることを防止できる。
【００６６】
特に、本実施の形態においては、表面カバー７１と裏面カバー７２との相互間に形成される空間部７４と、ベルトポケット１２ａの空間部７５とを、相互にほぼ隙間なく連通させている。このため、空間部７４に収容されたヘッドサポートベルト２０の余長部分２１ａを、外部に露出させることなくそのままスムーズに空間部７５に差し込むことができるので、ヘッドサポートベルト２０をその全体に渡ってほぼ完全に非露出状にできる。
【００６７】
（縦抱き用シート１０の各部の構造の詳細−ブリッジベルト１４）
次に、ブリッジベルト１４に関する構造の詳細について説明する。図２８は連結解除状態におけるブリッジベルト周辺の拡大正面図である。図示のように、ブリッジベルト１４及びメスバックル２６は、ブリッジベルトカバー８０にて覆われている。このブリッジベルトカバー８０は、表生地８１（後述する図３０のみに図示する）及び裏生地８２から筒状に形成されており、この筒状空間にブリッジベルト１４及びメスバックル２６を挿通させることで、これらブリッジベルト１４及びメスバックル２６をブリッジベルトカバー８０によって囲繞して非露出状とすることができる。従って、これらブリッジベルト１４及びメスバックル２６が幼児に当ることを防止できる。特に、操作部２６ａを備えるメスバックル２６を非露出状としているので、幼児が操作部２６ａをいたずらすることを防止できる。なお、ブリッジベルトカバー８０の先端部は開放状とされており、この先端部にオスバックル２７を差し込むことによって、メスバックル２６に係脱自在に係止させることができる。そして、図１６に示すように、この係止状態においては、、オスバックル２７がメスバックル２６の内部に入り込むことから、このオスバックル２７についてもメスバックル２６と共にブリッジベルトカバー８０にて覆うことができる。
【００６８】
また、このようにオスバックル２７をメスバックル２６に係止する際や、あるいは、これらの係止を解除するためにメスバックル２６の操作部２６ａを操作する際には、ブリッジベルトカバー８０を肩帯１３の方へ手繰り寄せることで、メスバックル２６を露出させることができる。しかしながら、ブリッジベルトカバー８０にてメスバックル２６を単に覆った場合には、このブリッジベルトカバー８０を手繰り寄せることが面倒であると共に、メスバックル２６を露出させた後でブリッジベルトカバー８０を元の状態に戻すことを忘れてしまった場合に、メスバックル２６が露出したままになってしまう可能性がある。そこで、本実施の形態では、ブリッジベルトカバー８０を自己復元可能とすることで、この不具合を防止している。
【００６９】
具体的には、図２８に示すように、ブリッジベルトカバー８０を、メスバックル２６の近傍の位置の縫合ライン８３において、ブリッジベルト１４に縫合している。この場合、図２９に示すように、ブリッジベルトカバー８０を手繰り寄せると、このブリッジベルトカバー８０の移動が縫合ライン８３にて規制されるので、ブリッジベルトカバー８０がその先端から縫合ライン８３の間のみで移動可能になる（図２８、２９には、ブリッジベルトカバー８０が手繰り寄られることで移動する範囲をＲ１、移動しない範囲をＲ２として示す）。このようにブリッジベルトカバー８０をその先端側の短い範囲のみにおいて移動可能とすることで、ブリッジベルトカバー８０の先端側の反発力を増すことができる。従って、このブリッジベルトカバー８０から使用者が手を離すだけで、ブリッジベルトカバー８０が自己の反発力で自然に元の状態に復元し、図１６や図２８に示すようにメスバックル２６を覆う。従って、ブリッジベルトカバー８０を元の状態に戻すための特段の操作を行なわなくても、メスバックル２６が露出することを防止できるので、幼児に対する安全性を一層高めることができる。
【００７０】
ここで、メスバックル２６及びオスバックル２７の係止構造としては任意のものを採用でき、例えば、ボタンホックやサイドリリースバックル（ＳＲバックル）を用いることができる。ここでは、フロントリリースバックルを使用しており、メスバックル２６の前面（幼児と反対側の面）に設けた操作部２６ａを使用者が押圧することで、メスバックル２６に対するオスバックル２７の係止を解除できる。このように前方のみから操作部２６ａを操作可能としているので、幼児が後方から操作部２６ａを誤って操作することを防止でき、安全性を一層向上させることができる。
【００７１】
また、これらオスバックル２７をメスバックル２６に係止する際、使用者がブリッジベルト１４を捻ってしまい、オスバックル２７をメスバックル２６に対して表裏（前後）逆向きに差し込んでしまう場合が考えられる。そこで、本実施の形態では、ブリッジベルトカバー８０に表面と裏面とを相互に識別するための識別手段を備えている。この識別手段としては、例えば、ブリッジベルトカバー８０の表面や裏面にその向きを示すようなマークを付すことも考えられるが、本実施の形態では、ブリッジベルトカバー８０の表面と裏面とを、相互に異なる素材の布体で覆っている。
【００７２】
具体的には、ブリッジベルトカバー８０の表生地８１にはメッシュ生地を使用し、ブリッジベルトカバー８０の裏生地８２にはメッシュ生地以外の生地を使用している（図示における生地の区別は省略する）。従って、使用者は、ブリッジベルトカバー８０の表面と裏面とを容易に目視にて識別でき、オスバックル２７を正しい前後方向でメスバックル２６に係止できる。特に、幼児側に位置する表生地８１を通気性の高いメッシュ地としているので、この表生地８１が幼児に触れた場合にも、その快適性を維持できる。また、操作部２６ａを覆う裏生地８２を比較的薄厚状の裏生地のみにて形成しているので、この裏生地８２の上から使用者が操作部２６ａに触れる際の触感を向上させることができ、使用者の操作性を高めることができる。この他、オスバックル２７をメスバックル２６に所定の前後方向で差し込んだ時にのみ、これらオスバックル２７とメスバックル２６とが相互に係合可能になるようにしてもよい。
【００７３】
このように構成されたブリッジベルト１４は、縦抱き時にのみ使用され、横抱き時には不要である。このため、本実施の形態の子守帯１は、横抱き時にブリッジベルト１４を収容するための収容構造を備えている。図３０は収容途中の状態におけるブリッジベルト周辺の拡大正面図、図３１は収容完了状態におけるブリッジベルト周辺の拡大正面図である。ブリッジベルト１４が取り付けられた側の肩帯１３（本実施の形態において左方の肩帯１３）には、このブリッジベルト１４を収容する袋状のポケット９０が形成されている。また、オスバックル２７が取り付けられた側の肩帯１３（本実施の形態において右方の肩帯１３）には、このオスバックル２７を収容する袋状のポケット９１が形成されている。これらポケット９０、９１は、肩帯１３における縦抱き用シート本体１１との接合箇所の近傍位置に形成されており、ブリッジベルト１４又はオスバックル２７に対向する面に開口９０ａ、９１ａを有し、この開口９０ａ、９１ａを介して、図３１に示すように、ブリッジベルト１４又はオスバックル２７をポケット９０、９１に差し入れることができる。従って、ブリッジベルト１４やオスバックル２７を不要時に収容して非露出状とすることができ、これらブリッジベルト１４やオスバックル２７が他の操作の妨げになることや、使用者や幼児に当ることを防止できる。
【００７４】
ここで、ポケット９０には、ブリッジベルト１４を完全に収容できることが好ましい。しかしながら、本実施の形態のようにブリッジベルト１４の全長が肩帯１３の全幅よりも長い場合には、このブリッジベルト１４を肩帯１３に対して単に直交する方向でポケットに差し込むようにしたのでは、ブリッジベルト１４をポケット９０に完全に収容することができないことになる。このため、本実施の形態においては、ポケット９０を肩帯１３の長手方向に沿った長方状の空間部として形成している。すなわち、図３０に示すように、ポケット９０は、ブリッジベルト１４の付け根周辺位置から下方に向けて、ブリッジベルト１４の全長Ｌ４以上の長さで形成されている。従って、ブリッジベルト１４を、まず図３０に示すように下方に向けて折り曲げ、その先端をポケット９０の開口９０ａに差し込み、さらに肩帯１３の長手方向に沿った方向でポケット９０に差し入れることで、図３１に示すようにポケット９０にほぼ完全に収容できる。
【００７５】
（縦抱き用シート１０の各部の構造の詳細−股ぐり部）
次に、図１０に示す縦抱き用シート１０の股ぐり部１００に関する構造の詳細について説明する。この股ぐり部１００は、縦抱き用シート本体１１の下端部であって、図４の対面抱き時には幼児の臀部を保持し、図５の前抱き時には内股部を保持する。このような当接部位の変化に対して股ぐり部１００が追従可能なように、本実施の形態では、股ぐり部１００の柔軟性を向上するための各種の工夫を施している。図３２は股ぐり部周辺の拡大背面図、図３３は図３２のＡ−Ａ矢視縦断面図である。
【００７６】
股ぐり部１００の左右の側辺１０１、１０２は、幼児の脚部の形状に合致する湾曲形状とされており、この湾曲状の側辺１０１、１０２に幼児の脚部が当接することで、幼児が快適に脚を伸ばすことができる。この股ぐり部１００は、図３３に示すように、基本的には、縦抱き用シート本体１１における他の部分と同様に、緩衝材であるクッション材１０３の前後面をそれぞれ表生地１０４と裏生地１０５にて被覆して形成されている。このクッション材１０３は、縦抱き用シート１０によって幼児を保持するために必要な剛性を持たせる構造体であると共に、幼児の動作に伴う変形を許容することで幼児の快適性を向上させるための緩衝材である。
【００７７】
ここで、クッション材１０３のうち、股ぐり部１００の中央寄りの部分（図３２において点線にて囲んだ部分）には、開口１０６が穿設されている。この開口１０６は、クッション材１０３の緩衝力を緩和するための緩衝緩和手段である。図３４は変形状態における股ぐり部周辺の拡大背面図、図３５は図３４のＢ−Ｂ矢視縦断面図である。この開口１０６においてはクッション材１０３の緩衝力が存在しないため、股ぐり部１００のクッション材１０３の全体の緩衝力が緩和される。従って、前抱き時において、股ぐり部１００に幼児の臀部ではなく内股部が当接されることで、この股ぐり部１００が図３４の矢印方向に圧縮された場合に、クッション材１０３の反発力を開口１０６の分だけ弱め、クッション材１０３を比較的容易に変形させることができるので、幼児の内股部を必要以上に圧迫することなく、この内股部に対応した横幅を維持できる。また、このように開口１０６を形成したので、股ぐり部１００の通気性を一層高めることができ、幼児の快適性を向上させることができる。特に、図３２、３４に示すように、開口１０６の正面形状は、股ぐり部１００と同様に、幼児の脚部の形状に合致する台形状とされているので、クッション材１０３を幼児の脚部に対応した形状に変形させることができ、幼児の脚部に対するフィット感を維持できる。
【００７８】
また、図３２〜３５に示すように、股ぐり部１００の両側辺には、可動部１０７が設けられている。この可動部１０７は、幼児の動作に伴って、縦抱き用シート本体１１に対して可動するものである。具体的には、図３２に示すように股ぐり部１００の両側辺には縫合ライン１０８が設けられており、この縫合ライン１０８によって図３３のようにクッション材１０３を分断することによって、可動部１０７が形成されている。図３６は可動部周辺の拡大縦断面図、図３７は変形状態における可動部周辺の拡大縦断面図である。このようにクッション材１０３を分断することにより、クッション材１０３の剛性が分断され、この可動部１０７の剛性を低減できる。従って、股ぐり部１００に対する幼児の押圧に追従して可動部１０７が可動し、幼児に対応した横幅を維持する。特に、図３２、３４に示すように、縫合ライン１０８を、幼児の脚部の形状に合致する湾曲形状としているので、可動部１０７を幼児の脚部に対応した形状で可動させることができ、この脚部に対するフィット感を維持できる。
【００７９】
さらに、このような前後方向の可動による荷重の緩和構造に加えて、本実施の形態では、上下方向に対する荷重の緩和構造が設けられている。図３８は荷重調整部周辺の拡大背面図である。図示のように、股ぐり部１００には、荷重調整部１０７ａが設けられている。この荷重調整部１０７ａは、股ぐり部１００を下方に延長することで、この股ぐり部１００に幼児の荷重が加わった際の突っ張り（テンション）を左右の内側方向に移動させるものである。
【００８０】
具体的には、股ぐり部１００の下端を、その構造を維持したまま下方に所定長だけ延出することによって、荷重調整部１０７ａが形成されている。この延出構造により、股ぐり部１００の側部の長さＬ５が、従来の股ぐり部の長さＬ６に対して荷重調整部１０７ａの長さＬ７を加えた長さに延長されている（Ｌ５＝Ｌ６＋Ｌ７）。この効果は下記の通りである。すなわち、従来は、図３９の概念図に示すように、長さＬ６の比較的短い股ぐり部１００を介して幼児を吊り上げていたので、幼児の臀部や内股部が股ぐり部１００の左右の側部によって吊り上げ状に保持されており、幼児の荷重Ｆが股ぐり部１００の左右の側部にそのまま伝わるため、この荷重Ｆによって幼児の臀部や内股部が圧迫される可能性があった。これに対して、本実施の形態では、図４０の概念図に示すように、荷重調整部１０７ａを設けたことで、股ぐり部１００の左右の側部の吊り上げ状態が緩和されるので、股ぐり部１００の左右の側部に加わる荷重が軽減され、この軽減分だけ荷重Ｆが左右中央寄り（内側寄り）に移動することになる。この結果、幼児の臀部や内股部への圧迫を軽減でき、幼児の快適性を高めることができる。
【００８１】
（縦抱き用シート１０に対する横抱き用シート５０の着脱構造）
次に、縦抱き用シート１０に対する横抱き用シート５０の着脱構造についてより詳細に説明する。これら縦抱き用シート１０と横抱き用シート５０とは、概略的には、頭部周辺、臀部周辺、及び、脚部周辺の３箇所で相互に固定されており、このように複数個所で固定を行なうことで、使用者や幼児が動いた場合であっても、これら縦抱き用シート１０と横抱き用シート５０との固定状態をその全長に渡って確実に維持できる。
【００８２】
まず、頭部周辺の固定構造について説明する。この頭部周辺の固定構造においては、横抱き用シート５０の装着の有無に関わらず、この固定構造を幼児側（縦抱き用シート１０の裏面及び横抱き用シート５０の表面）に露出させないための工夫が施されている。具体的には、図４１に示すように、横抱き用シート本体５１の上隅近傍位置には、側方に向けて突出する取り付け部１１０が設けられている。この取り付け部１１０は、２枚の突出片１１１、１１２を重合して構成されており、表側に位置する突出片１１１の表面にはオスホック１１１ａが設けられ、裏側に位置する突出片１１２の裏面にはメスホック１１２ａが設けられている。一方、縦抱き用シート１０のベルトカバー７０には、取り付け部１１０に対応する位置に、上述した表面カバー７１のメスホック７１ａと裏面カバー７２のオスホック７２ａとが設けられている。
【００８３】
従って、このベルトカバー７０の内側に取り付け部１１０を差し込み、表側の突出片１１１のオスホック１１１ａを表面カバー７１のメスホック７１ａに係脱自在に係止させると共に、裏側の突出片１１２のメスホック１１２ａを裏面カバー７２のオスホック７２ａに係脱自在に係止させることにより、横抱き用シート５０の上部を縦抱き用シート１０の上部に固定できる。特に、取り付け部１１０をベルトカバー７０の内側に差し込んだ状態で取り付けを行なっているので、この状態においては取り付け部１１０をベルトカバー７０にて覆うことで表側及び裏側のいずれに対しても非露出状とすることができ、オスホック１１１ａやメスホック１１２ａが幼児に当ることを防止できると共に、子守帯１の意匠性を高めることができる。
【００８４】
次に、臀部周辺の固定構造について説明する。図２に示すように、縦抱き用シート本体１１の裏面の下部には面ファスナ１１３が設けられている。一方、横抱き用シート本体５１の裏面の下部には、面ファスナ１１３に対応する位置及び形状で、図示しない面ファスナが設けられている。従って、横抱き用シート５０を縦抱き用シート１０に重合させた状態で、横抱き用シート５０の下部を縦抱き用シート１０の下部に押し当てることで、これら面ファスナ１１３と図示しない面ファスナとが相互に係脱自在に係止するので、横抱き用シート５０の下部を縦抱き用シート１０の下部に固定できる。特に、面ファスナ１１３による固定構造を採用しているので、固定構造を比較的平坦にすることができ、縦抱き時に縦抱き用シート本体１１の裏面に幼児が直接的に載置された場合であっても、この固定構造の凹凸が幼児に伝わって違和感を与えることを防止できる。
【００８５】
次に、脚部周辺の固定構造について説明する。図１、２に示すように、横抱き用シート本体５１の下縁には、上述したベルトまとめ５４が設けられている。図４２は固定時におけるベルトまとめ周辺の拡大斜視図、図４３は固定解除時におけるベルトまとめ周辺の拡大斜視図である。ベルトまとめ５４は、全体として正面略Ｔ字状に形成されており、横抱き用シート本体５１の下縁に縫合されている。このベルトまとめ５４の左端の表面（後面）には、オスホック５４ａが設けられており、一方、ベルトまとめ５４の右端の裏面（前面）には、オスホック５４ａに対応する位置に、メスホック５４ｂが設けている。
【００８６】
そして、縦抱き用シート１０に横抱き用シート５０を取り付けた状態において、このベルトまとめ５４を足繰りベルト１６と脇ベルト１５との裏側から表側に通し、このベルトまとめ５４の裏面をこれら足繰りベルト１６と脇ベルト１５とに当接させ、さらにベルトまとめ５４を筒状に丸めることで、この筒状の内部空間に、足繰りベルト１６と脇ベルト１５とを収容できる。この状態において、ベルトまとめ５４の右端と左端とを相互に重合させることで、オスホック５４ａとメスホック５４ｂとが相互に対応する位置に配置されるので、オスホック５４ａをメスホック５４ｂに押し当てて係止させることで、図４２に示すように、ベルトまとめ５４を筒状の状態で留めることができる。
【００８７】
このように、ベルトまとめ５４によって脇ベルト１５と足繰りベルト１６とを相互に結束できるので、これら脇ベルト１５や足繰りベルト１６やその余長部分が使用者や幼児等に引っ掛ることを防止できると共に、子守帯１の外観をすっきりさせてその意匠性を向上させることができる。特に、ベルトまとめ５４は、硬質ボードを含まずに表生地と裏生地とで形成していることから、ベルトまとめ５４によって幼児に不快感を与えることがない。さらに、ベルトまとめ５４によって足繰りベルト１６を保持することで、この足繰りベルト１６が横抱き用シート５０の下端から前方に向けて一定の角度で立ち上がるようにできるので、足繰りベルト１６が左右あるいは上方に引っ張られて幼児側に傾くことを防止でき、幼児の居住空間を確保できる。
【００８８】
（縦抱き用シート１０の保持構造）
次に、縦抱き用シート１０の保持構造について説明する。上述のように、出産後から数ヶ月を経た後は幼児を縦抱きにて保持するのが一般的であることに鑑みて、本実施の形態の子守帯１は、縦抱き時には縦抱き用シート１０のみで幼児を保持することを可能としている。特に、横抱き用シート本体５１には硬質ボード５５を使用することで横抱き時の剛性を確保する一方で、縦抱き用シート本体１１には硬質ボード５５の如き高剛性部材を使用せずにその柔軟性を高めることで、縦抱き用シート１０のみを携行する場合の取扱いを容易にしている。さらに、この縦抱き用シート１０の携行性を一層向上させるため、本実施の形態では、縦抱き用シート１０をコンパクトに収納して容易に持ち運ぶための保持構造を構築している。以下では、この保持構造について説明する。
【００８９】
図４４は収納袋を収納するポケットの周辺の拡大正面図、図４５は収納袋からポケットを取り出した状態における縦抱き用シート１０の正面図である。縦抱き用シート１０の縦抱き用シート本体１１には、その表面の下端位置（図４の如き縦抱き状態において幼児の左右の脚の間の位置）に、ポケット１２０が設けられており、このポケット１２０には収納袋１２１が取り出し自在に収納されている。この収納袋１２１は、縦抱き用シート１０を所定の保持状態で保持するための保持手段であり、ポケット１２０に設けた開口１２０ａを介して外部に取り出すことができる。この収納袋１２１は、縦抱き用シート１０を収容するために十分な収容量を有する袋体として形成されており、例えば略直方状に形成されている。この収納袋１２１の一側辺には開口１２１ａが設けられており、この開口１２１ａを介して収納袋１２１の内部に縦抱き用シート１０を出し入れできる。
【００９０】
このような収納袋１２１を縦抱き用シート１０のポケット１２０に収納することで、収納袋１２１の携行忘れを防止できると共に、縦抱き用シート１０の不要時には収納袋１２１を容易に取り出し、この縦抱き用シート１０を折り畳んで収納袋１２１に収容できる。そして、この収納袋１２１に収容した状態で縦抱き用シート１０を携行することで、縦抱き用シート１０をコンパクトな状態で持ち運ぶことができる。特に、収納袋１２１をメッシュ地で形成しているので、この収納袋１２１をコンパクトに折り畳むことができ、収納袋１２１の存在によって幼児に違和感を与えることを防止できる。また、収納袋１２１の開口１２１ａには、当該開口１２１ａを開閉自在に閉じるための取り付けヒモ１２１ｂが設けられている。従って、縦抱き用シート１０を収納袋１２１に収容した状態でこの取り付けヒモ１２１ｂを引っ張ることで開口１２１ａを閉じることができ、収納袋１２１から縦抱き用シート１０が脱落することを防止でき、縦抱き用シート１０の携行が一層容易になる。
【００９１】
特に、本実施の形態においては、収納袋１２１の携行忘れを一層確実に防止すると共に、この収納袋１２１への縦抱き用シート１０の収納を一層容易とするための構造が採られている。すなわち、ポケット１２０と収納袋１２１とは、連結ベルト１２２にて相互に連結されている。この連結ベルト１２２は、その一端をポケット１２０の内側に縫合することで固定されており、その他端を収納袋１２１に縫合することで固定されている。従って、収納袋１２１を常に縦抱き用シート１０と共に携行でき、収納袋１２１の携行忘れを一層確実に防止できる。
【００９２】
次に、縦抱き用シート１０の収容手順の一例について説明する。まず、図４６に示すように、収納袋１２１を縦抱き用シート１０の下方に配置し、図４７に示すように、縦抱き用シート１０の肩帯１３を内側に折り畳む。その後、図４８に示すように、縦抱き用シート１０をその長手方向に対して任意の回数（例えば三つ折り）に折り畳み、図４９に示すように、縦抱き用シート１０を収納袋１２１の内部に収容することができる（図４８、４９においては縦抱き用シート１０を想像線にて示す）。
【００９３】
このような収納完了後の状態においては、取り付けヒモ１２１ｂを利用することで、使用者が収納袋１２１を肩にかけたり、図５０のようにベビーカーの手すり部分等にＳ字フック１２３を介して収納袋１２１を吊り下げる等、収納袋１２１を容易に携行できる。また、このＳ字フック１２３を、取り付けヒモ１２１ｂに一体に固定してもよい。あるいは、図５１に示すように、取り付けヒモ１２１ｂを着脱自在に開閉可能とする開閉ホック１２４を設けてもよく、この場合には、バッグの手提げ部分等に収納袋１２１を吊り下げる等、収納袋１２１の利便性が向上する。
【００９４】
さらに、本実施の形態においては、縦抱き用シート１０に対する収納袋１２１の収容構造についても種々の工夫が施されている。すなわち、再び図４４に示すように、ポケット１２０は、縦抱き用シート本体１１の表面に設けられている。従って、収納袋１２１が幼児に直接触れないので、この収納袋１２１やその内部に収納したポケット１２０の存在によって幼児に違和感を与えることが防止でき、幼児の快適性を維持できる。また、ポケット１２０は、縦抱き用シート本体１１の下端に設けられている。従って、縦抱き時においても、ポケット１２０が幼児の左右の脚の間に隠れて表側から目立たないため、子守帯１の外観を維持できる。さらに、ポケット１２０を縦抱き用シート１０の長手方向の下端に設けることで、収納袋１２１を縦抱き用シート１０の端部に容易に配置でき、縦抱き用シート１０の収納が一層容易になる。
【００９５】
また、図５２には図４４のＣ−Ｃ矢視縦断面図を示す。この図５２に示すように、ポケット１２０の開口１２０ａは、ポケット１２０の一端部１２０ｂと他端部１２０ｃとを相互にやや重合させた状態で形成されている。従って、この重合部分によって開口１２０ａが開閉自在に閉鎖されるので、ポケット１２０から収納袋１２１が露出したり脱落したりすることを防止できる。
【００９６】
（本実施の形態に対する変形例）
以上、本発明の実施の形態について説明したが、本発明の具体的な構成及び手段は、特許請求の範囲に記載した各発明の技術的思想の範囲内において、任意に改変及び改良できる。以下、このような変形例について説明する。ただし、特に説明なき構成については上記実施の形態と同様であるものとし、上記実施の形態と同様の機能を有する構成要素については、必要に応じて、実施の形態において用いたのと同じ符号を付する。
【００９７】
（本実施の形態に対する変形例−ヘッドサポートの連結部）
最初に、ヘッドサポートの連結部の変形例について説明する。上記の実施の形態においては、図１３〜１５に示すように、ヘッドサポートベルト２０にてヘッドサポート１２と肩帯１３とを連結しているが、ヘッドサポートベルト２０にてヘッドサポート１２を縦抱き用シート本体１１と連結してもよい。また、縦抱き用シート１０に限定されず、横抱き用シート５０の構造によっては、この横抱き用シート５０にヘッドサポート１２の連結部の構造を適用してもよい。また、表面カバー７１と裏面カバー７２とは、平板状以外の任意の形状で形成してもよく、例えば、立体裁断にて立体形状にしてもよい。これら表面カバー７１と裏面カバー７２とを相互に連結する手段としては、メスホック７１ａやオスホック７２ａ以外の構造を採用してもよく、例えば、これら表面カバー７１と裏面カバー７２との相互の内面や、ヘッドサポートベルト２０の内外面に、面ファスナを設けてもよい。また、ヘッドサポートベルト２０の余長部分を収容するベルトポケット１２ａは、上記の箇所以外に設けてもよく、例えば、ヘッドサポート１２の裏面に設けたり、裏面カバー７２の内面に設けてもよい。また、上記のように、ヘッドサポートベルト２０にてヘッドサポート１２を縦抱き用シート本体１１に連結する場合には、ベルトポケット１２ａを縦抱き用シート本体１１に設けてもよい。
【００９８】
（本実施の形態に対する変形例−ブリッジベルト）
次に、ブリッジベルトの変形例について説明する。図５３はブリッジベルトの変形例を示す拡大正面図である。このように、肩帯１３におけるブリッジベルト１４の取り付け位置の近傍に、その長手方向に沿った長方状のポケット１３０を設けてもよい。この場合にも、図５４に示すように、ブリッジベルト１４を肩帯１３の側方から回り込ませ、その先端からポケット１３０に差し入れることで、図５５に示すように、ブリッジベルト１４を収容できる。
【００９９】
あるいは、図５６の拡大正面図に示すように、左右の肩帯１３に略同一長さのブリッジベルト１３１をそれぞれ取り付けると共に、各肩帯１３におけるブリッジベルト１３１の取り付け位置の近傍にポケット１３２を設けてもよい。この場合には、各ブリッジベルト１３１の長さを上記図１６のブリッジベルト１４よりも短くすることができ、肩帯１３の幅に収まる長さにできる。このため、図５７に示すように、ブリッジベルト１３１を肩帯１３の長手方向に略直交する方向でポケット１３２に差し入れても、ブリッジベルト１３１をほぼ完全に収容できる。
【０１００】
（本実施の形態に対する変形例−股ぐり部）
次に、股ぐり部の変形例について説明する。上記図３２に示した股ぐり部１００では、クッション材１０３に開口１０６を穿設しているが、この開口１０６は図３２の形状に限定されず、スリット状や貫通孔状に形成してもよい。また、クッション材１０３の変形性を向上させるためには、開口１０６を設ける以外にも他の構造を取ることができ、例えば、クッション材１０３の一部を他の部分よりも薄厚状とした薄厚部を形成してもよい。あるいは、クッション材１０３の変形を促したい部分に、当該クッション材１０３よりも柔軟性の高い他の素材を嵌め込むこともできる。さらに、同様の構成を股ぐり部１００の他の部分に適用してもよく、例えば、縦抱き用シート本体１１における幼児の胸部分に対応する箇所の変形度を向上させることで、幼児の胸や腕の動きに追従して縦抱き用シート本体１１をスムーズに変形させてもよい。
【０１０１】
また、上記実施の形態においては、図３６に示したように、表生地１０４と裏布地１０５との相互の接続箇所（縫合ライン１０９）を、縦抱き用シート本体１１の側方に位置させている。この場合、縫合ライン１０９は比較的硬いため、この縫合ライン１０９に幼児の脚が当ることで、幼児に不快感を与える可能性がある。これを解消するため、図５８に示すように、この接続箇所を縦抱き用シート本体１１の表面に配置してもよい。具体的には、裏布地１０５を表生地１０４より広幅に裁断し、この裏生地１０５を縦抱き用シート１０の側方を通って表面側に回り込ませ、この表面側に回り込んだ位置で、裏布地１０５と表生地１０４とを相互に縫合して縫合ライン１３３を形成する。この場合には、縫合ライン１３３が、縦抱き用シート１０の表面側に位置し、幼児に触れることがないので、幼児の快適性を一層高めることができる。特に、この縫合ライン１３３によって可動部１０７を形成してもよく、この場合には、表生地１０４と裏布地１０５との相互の接続箇所を、可動部１０７を形成するための縫合ラインに合致させることができ、１本の縫合ライン１３３を形成するだけで、可動部１０７を形成できると共に、接続箇所が幼児の脚に当ることを防止できる。
【０１０２】
（本実施の形態に対する変形例−着脱構造）
次に、縦抱き用シート１０に対する横抱き用シート５０の着脱構造の第１〜第７の変形例について説明する。まず、第１の変形例について説明する。図５９は第１の変形例に係る横抱き用シートの背面図である。横抱き用シート５０の横抱き用シート本体１４０の上隅近傍位置の裏面には、オスホック１４０ａが設けられている。一方、図１４に示した縦抱き用シート本体１１のメスホック７１ａを、この変形例では、オスホック１４０ａに対応するように左右の内側寄りの位置に設ける。従って、この縦抱き用シート本体１１に横抱き用シート本体１４０を重合させ、これらオスホック１４０ａとメスホック７１ａとを係脱自在に係止させることで、横抱き用シート５０を縦抱き用シート１０に固定できる。また、この状態では、オスホック１４０ａやメスホック７１ａがベルトカバー７０にてカバーされるので、縦抱き用シート１０の表側に露出することがない。
【０１０３】
次に、着脱構造の第２の変形例について説明する。図６０は第２の変形例に係る横抱き用シートの背面図、図６１は第２の変形例に係る縦抱き用シートの背面図である。横抱き用シート５０の横抱き用シート本体５１の裏面には、固定フラップ１４１が設けられている。この固定フラップ１４１は、横抱き用シート本体５１の上縁から、この横抱き用シート本体５１の裏面の上部１／３程度の付近に至るように形成されている。そして、横抱き用シート５０を縦抱き用シート１０に重合させた後、この固定フラップ１４１をヘッドサポート１２の上方側から縦抱き用シート本体１１の裏面側に被せることにより、固定フラップ１４１にてヘッドサポート１２及び縦抱き用シート本体１１の上部を覆うことができる。このように覆った状態では、ヘッドサポート１２及び縦抱き用シート本体１１の上部が横抱き用シート本体５１と固定フラップ１４１にて挟持されるので、横抱き用シート５０が縦抱き用シート１０から外れ難くなり、横抱き用シート５０を縦抱き用シート１０に仮固定できる。
【０１０４】
ここで、固定フラップ１４１の先端近傍位置の表面（横抱き用シート本体５１に対向する面）には、オスホック１４１ａが設けられている。一方、縦抱き用シート本体１１の表面には、オスホック１４１ａに対応する位置に、メスホック１１ａが設けられている。そして、オスホック１４１ａをメスホック１１ａに係脱自在に係止させることで、横抱き用シート５０を縦抱き用シート１０に確実に固定できる。また、この状態では、オスホック１４１ａやメスホック１１ａが固定フラップ１４１にてカバーされるので、縦抱き用シート１０の表側に露出することがない。
【０１０５】
次に、着脱構造の第３の変形例について説明する。図６２は第３の変形例に係る横抱き用シートの背面図である。横抱き用シート５０の横抱き用シート本体５１の裏面には、固定フラップ１４３が設けられている。この固定フラップ１４３は、横抱き用シート本体５１の上端から下端近傍位置に至るもので、縦抱き用シート本体１１に横抱き用シート本体５１を重合させた後、この固定フラップ１４３をヘッドサポート１２の上方側から縦抱き用シート本体１１の裏面側に被せることにより、固定フラップ１４３にてヘッドサポート１２及び縦抱き用シート本体１１の略全体を覆うことができる。このように覆った状態では、ヘッドサポート１２及び縦抱き用シート本体１１の略全体が横抱き用シート本体５１と固定フラップ１４３にて挟持されるので、横抱き用シート５０が縦抱き用シート１０から外れ難くなり、横抱き用シート５０を縦抱き用シート１０に仮固定できる。
【０１０６】
ここで、横抱き用シート本体５１と固定フラップ１４３とは、縦抱き用シート本体１１よりもやや広幅に形成されており、この縦抱き用シート本体１１に横抱き用シート本体５１を重合させた状態では、これら横抱き用シート本体５１と固定フラップ１４３のそれぞれの側部が縦抱き用シート本体１１よりも側方位置（具体的には、図９に示す腕口２５及び脚口４３の位置）に突出する。このように突出した側部において、横抱き用シート本体５１の裏面には、メスホック５１ａと面ファスナ５１ｂとが設けられており、固定フラップ１４３の表面（横抱き用シート本体５１に対向する面）には、メスホック５１ａと面ファスナ５１ｂとに対応する位置に、オスホック１４３ａと面ファスナ１４３ｂとが設けられている。従って、メスホック５１ａとオスホック１４３ａ、及び、面ファスナ５１ｂと面ファスナ１４３ｂとを、縦抱き用シート本体１１の側方において相互に係脱自在に係止させることで、横抱き用シート５０によって縦抱き用シート１０を挟持でき、この横抱き用シート５０を縦抱き用シート１０に確実に固定できる。また、この状態では、メスホック５１ａ、オスホック１４３ａ、及び、面ファスナ５１ｂ、１４３ｂが、固定フラップ１４３にてカバーされるので、縦抱き用シート１０の表側に露出することがない。
【０１０７】
次に、着脱構造の第４の変形例について説明する。図６３は第４の変形例に係る横抱き用シートの背面図、図６４は第４の変形例に係る縦抱き用シートの背面図である。横抱き用シート５０の横抱き用シート本体５１には、その上縁から裏面に至る固定フラップ１４４が設けられている。この固定フラップ１４４の裏面には、一対のメスホック１４４ａと一対のオスホック１４４ｂとが設けられており、これらメスホック１４４ａとオスホック１４４ｂとは、折り返し線１４４ｃを中心として線対称になる位置に設けられている。一方、縦抱き用シート１０のヘッドサポート１２の上縁には、固定フラップ１４４を挿脱自在に挿通させるための環状のフラップ通し１４５が設けられている。
【０１０８】
そして、横抱き用シート５０を縦抱き用シート１０に重合させた後、この固定フラップ１４４をフラップ通し１４５に挿通させる。次いで、固定フラップ１４４を、折り返し線１４４ｃを中心に２つ折りに折り返すことで、この固定フラップ１４４にてフラップ通し１４５を挟持でき、横抱き用シート５０が縦抱き用シート１０から外れ難くなるので、横抱き用シート５０を縦抱き用シート１０に仮固定できる。この折り返し状態においては、メスホック１４４ａとオスホック１４４ｂとが相互に対応する位置に配置されるので、オスホック１４４ｂをメスホック１４４ａに係脱自在に係止させることで、横抱き用シート５０を縦抱き用シート１０に確実に固定できる。また、この状態では、メスホック１４４ａとオスホック１４４ｂが固定フラップ１４４にてカバーされるので、縦抱き用シート１０の表側に露出することがない。
【０１０９】
次に、着脱構造の第５の変形例について説明する。図６５は第５の変形例に係る横抱き用シートの背面図、図６６は第５の変形例に係る縦抱き用シートの背面図である。横抱き用シート５０の横抱き用シート本体５１には、その側縁から裏面の左右中央に向けて延出する一対の固定ベルト１４６が形成されている。各固定ベルト１４６の裏面（横抱き用シート本体５１に対向する面）には、オスホック１４６ａが設けられている。一方、縦抱き用シート１０の縦抱き用シート本体１１の表面には、上下に縦長の帯状のメッシュカバー１４７が設けられている。このメッシュカバー１４７は、その上下の端部のみを縦抱き用シート本体１１に縫合されており、その左右の側辺は開閉自在の開口１４７ａとなっている。また、縦抱き用シート本体１１の表面には、メッシュカバー１４７にて覆われる位置であって、オスホック１４６ａに対応する位置に、メスホック１４７ｂが設けられている。
【０１１０】
そして、横抱き用シート５０を縦抱き用シート１０に重合させた後、この固定ベルト１４６を縦抱き用シート本体１１の側方からその表側に通し、さらに開口１４７ａを介して縦抱き用シート本体１１とメッシュカバー１４７との相互間に通すことで、固定ベルト１４６にて縦抱き用シート本体１１を挟持でき、横抱き用シート５０が縦抱き用シート１０から外れ難くなるので、横抱き用シート５０を縦抱き用シート１０に仮固定できる。さらに、この挿通状態においては、オスホック１４６ａとメスホック１４７ｂとが相互に対応する位置に配置されるので、オスホック１４６ａをメスホック１４７ｂに係脱自在に係止させることで、横抱き用シート５０を縦抱き用シート１０に確実に固定できる。また、この固定状態においては、固定ベルト１４６やオスホック１４６ａがメッシュカバー１４７にて覆われるので、この固定ベルト１４６が表側に露出することを防止できる。また、メスホック１４７ｂをメッシュカバー１４７にて覆っているので、横抱き用シート５０を取り外した状態においても、このメスホック１４７ｂが表側に露出することを防止できる。
【０１１１】
次に、着脱構造の第６の変形例について説明する。図６７は第６の変形例に係る横抱き用シートの背面図、図６８は第６の変形例に係る縦抱き用シートの正面図である。横抱き用シート本体５１の裏面には、左右方向に沿って延びる固定フラップ１４８が設けられている。この固定フラップ１４８の表面（横抱き用シート本体５１に対向する面）にはオスホック１４８ａが設けられている。また、横抱き用シート本体５１の裏面には、オスホック１４８ａに対応する位置に、メスホック５１ａが設けられている。一方、縦抱き用シート１０の縦抱き用シート本体１１の裏面には、メッシュポケット１４９が設けられている。このメッシュポケット１４９の左右の側辺のうち、固定フラップ１４８に対応する部分には開口１４９ａが形成されている。
【０１１２】
そして、横抱き用シート５０を縦抱き用シート１０に重合させた後、この固定フラップ１４８を、縦抱き用シート本体１１の側方からその表側に通し、さらに開口１４９ａを介して縦抱き用シート本体１１とメッシュポケット１４９との相互間に通すことで、固定フラップ１４８にてメッシュポケット１４９を挟持でき、横抱き用シート５０が縦抱き用シート１０から外れ難くなるので、横抱き用シート５０を縦抱き用シート１０に仮固定できる。さらに、この挿通状態においては、オスホック１４８ａとメスホック５１ａとが相互に対応する位置に配置されるので、オスホック１４８ａをメスホック５１ａに係脱自在に係止させることで、横抱き用シート５０を縦抱き用シート１０に確実に固定できる。また、この固定構造では、固定フラップ１４８が縦抱き用シート１０の裏側に配置されるので、固定フラップ１４８やオスホック１４８ａが表側に露出することを防止できる。
【０１１３】
次に、着脱構造の第７の変形例について説明する。図６９は第７の変形例に係る縦抱き用シートの正面図である。この第７の変形例は、第６の変形例と特記する構成を除いて同様に構成されているが、縦抱き用シート１０の縦抱き用シート本体１１の表面のメッシュポケット１５０には、円環状のフラップ通し１５０ａが取り付けられている点で異なる。このフラップ通し１５０ａは、図６７に示した横抱き用シート５０の固定フラップ１４８に対応する位置に設けられており、必要時には裏側に立ち上げることができる。そして、図６７に示した横抱き用シート５０を縦抱き用シート１０に重合させた後、固定フラップ１４８を、縦抱き用シート本体１１の側方からその表側に通し、さらにフラップ通し１５０ａに通すことで、固定フラップ１４８にてフラップ通し１５０ａを挟持でき、横抱き用シート５０が縦抱き用シート１０から外れ難くなるので、横抱き用シート５０を縦抱き用シート１０に仮固定できる。さらに、この挿通状態においては、図６７のオスホック１４８ａとメスホック５１ａとが相互に対応する位置に配置されるので、オスホック１４８ａをメスホック５１ａに係脱自在に係止させることで、横抱き用シート５０を縦抱き用シート１０に確実に固定できる。また、この固定構造では、固定フラップ１４８が縦抱き用シート１０の裏側に配置されるので、固定フラップ１４８やオスホック１４８ａが表側に露出することを防止できる。
【０１１４】
（本実施の形態に対する変形例−保持構造）
次に、縦抱き用シートの保持構造の変形例について説明する。実施の形態で示したように、縦抱き用シートに収納袋１２１を収納する場合において、この収納袋１２１の位置は変更可能である。図７０は、保持構造の変形例に係るもので、収納袋を取り出した状態における縦抱き用シート１０の正面図である。この図７０の変形例では、上述したポケット１２０を縦抱き用シート本体１１の裏面に設けており、このポケット１２０に収納袋１２１が取り出し自在に収納されている。
【０１１５】
この変形例では、連結ベルト１２２は、収納袋１２１のうち、開口１２１ａと反対側の側辺に固定されているので、収納袋１２１に対する縦抱き用シート１０の収容が一層容易である。この理由を、以下の縦抱き用シート１０の収容手順と共に説明する。まず、図７１に示すように、縦抱き用シート１０の肩帯１３を内側に折り畳んだ後、図７２に示すように、縦抱き用シート１０をその長手方向に対して任意の回数（例えば三つ折り）に折り畳む（図７２〜７５においては縦抱き用シート１０を想像線にて示す）。この状態では、収納袋１２１のうち、開口１２１ａと反対側の側辺が縦抱き用シート１０に当接しているので、図７３に示すように、この当接箇所から開口１２１ａに向けて縦抱き用シート１０を収納袋１２１の中に差し入れ、図７４のように収納袋１２１を裏返しつつ縦抱き用シート１０に被せることで、図７５のように収納袋１２１に縦抱き用シート１０を容易に収納できる。また、この変形例では、再び図７０に示すように、ポケット１２０は、縦抱き用シート本体１１の裏面に設けられている。従って、横抱き状態と縦抱き状態のいずれの場合でも、ポケット１２０が表側に露出しないので、子守帯１の外観を維持できる。また、ポケット１２０についてもメッシュ地で形成しているので、通気性を高めて、幼児の快適性を維持できる。
【０１１６】
その他、ポケット１２０は、縦抱き用シート本体１１の裏面の臀部周辺に設けたり、縦抱き用シート本体１１の表面に設けたり、あるいは、肩帯１３の内部に収納してもよい。また、図７６に示すように、収納袋１２１に代えて、縦抱き用シートを折り畳み状態で保持するための固定ベルト１５１を設けてもよい。この固定ベルト１５１は、三つ折りした縦抱き用シートを結束し得る長さにて形成されており、その両端には面ファスナ１５１ａが設けられている。そして、メッシュポケット１２０から固定ベルト１５１を取り出し、三つ折りした縦抱き用シート１０の外周に固定ベルト１５１を巻き付け、この固定ベルト１５１の両端を面ファスナ１５１ａで相互に固定することで、図７７に示すように、縦抱き用シート１０を折り畳み状態で保持できる（図７７では縦抱き用シート１０を想像線にて示す）。あるいは、固定ベルト１５１をゴム製としてもよく、この場合には固定ベルト１５１の弾性力で縦抱き用シートを保持できるので、面ファスナ１５１ａを省略できる。
【０１１７】
この他、図７８に示すように、縦抱き用シート本体１１の上下中央付近の側部に一対のホールドベルト１５２を設けてもよい。このホールドベルト１５２は、縦抱き用シート本体１１に保持された幼児を保持するための保持手段であると共に、縦抱き用シート１０を折り畳み状態で保持するための保持手段として機能する。具体的には、一対のホールドベルト１５２は、三つ折りした縦抱き用シート１０を結束し得る長さにて形成されており、その両端にはオスバックル１５２ａとメスバックル１５２ｂとが設けられている。そして、三つ折りした縦抱き用シート１０の外周にホールドベルト１５２を巻き付け、このホールドベルト１５２の両端をオスバックル１５２ａとメスバックル１５２ｂとの係合によって相互に固定することで、図７９に示すように、縦抱き用シート１０を折り畳み状態で保持できる（図７９では縦抱き用シート１０を想像線にて示す）。このように、幼児を保持するホールドベルト１５２を流用して、縦抱き用シート１０の保持を行なう場合には、縦抱き用シート１０の保持専用の部品を設ける必要がなくなり、縦抱き用シート１０を一層簡易な構成で保持できる。
【０１１８】
あるいは、図８０に示すように、縦抱き用シート１０のヘッドサポート１２の上縁にフック１５３を設ける。また、縦抱き用シート１０の縦抱き用シート本体１１の表面には、この縦抱き用シート１０を所定方法で折り畳んだ状態におけるフック１５３に対応する位置（この変形例では中央近傍位置）に、フック１５３を係脱自在に係止できるボタン１５４を設けてもよい。そして、縦抱き用シート１０を三つ折りし、ボタン１５４にフック１５３を係止させることで、図８１に示すように、縦抱き用シート１０を折り畳み状態で保持できる。特に、フック１５３をゴム製とすることで、ボタン１５４の位置が若干ずれた場合であっても、このフック１５３を弾性的に伸ばしてボタン１５４に係止できるので、保持操作を一層容易に行なうことができる。
【０１１９】
（本実施の形態に対する変形例−課題及び効果）
また、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、縦抱き用シートと横抱き用シートとの着脱構造を完全に非露出状にできない場合においても、そのカバー範囲を従来より若干でも向上できている限りにおいて、あるいは、従来と異なる手段にて従来と同様の効果を達成できている限りにおいて、本発明の課題が解決されている。
【０１２０】
（本実施の形態に対する変形例−その他）
実施の形態や各変形例における説明文中又は図中に示した構造、寸法、材質、あるいは、形状については、特記する場合を除いて例示に過ぎず、任意に変更することができる。
【産業上の利用可能性】
【０１２１】
この発明は、幼児を保持するための子守帯に適用でき、特に横抱き用シートを縦抱き用シートに着脱自在とした子守帯において、これら横抱き用シートと縦抱き用シートとの着脱構造を表側や裏側に対して非露出状とすること等によって、幼児の快適性や使用者の利便性を一層向上させること等に有用である。
【図面の簡単な説明】
【０１２２】
【図１】本発明の実施の形態に係る子守帯の全体斜視図である。
【図２】図１の子守帯の分解斜視図である。
【図３】横抱きの状態を示す図である。
【図４】対面抱きの状態を示す図である。
【図５】前抱きの状態を示す図である。
【図６】通常のおんぶの状態を示す図である。
【図７】クロスおんぶの状態を示す図である。
【図８】図１の縦抱き用シートの斜視図である。
【図９】図１の縦抱き用シートの正面図である。
【図１０】図１の縦抱き用シートの背面図である。
【図１１】ファスナを開いた状態における肩帯の拡大正面図である。
【図１２】ファスナを閉じた状態における肩帯の拡大正面図である。
【図１３】ヘッドサポートベルト周辺の拡大正面図ある。
【図１４】裏面カバーを開いた状態におけるヘッドサポートベルト周辺の拡大正面図ある。
【図１５】連結を解除した状態におけるヘッドサポートベルト周辺の拡大正面図である。
【図１６】連結状態におけるブリッジベルト周辺の拡大正面図である。
【図１７】回転バックルの正面図である。
【図１８】回転バックルの底面図である。
【図１９】取り外し状態における回転バックルの斜視図である。
【図２０】回転前後の状態を示す回転バックルの正面図である。
【図２１】足繰りベルトの正面図である。
【図２２】図１の横抱き用シートの斜視図である。
【図２３】図１の横抱き用シートの正面図である。
【図２４】図１の横抱き用シートの背面図である。
【図２５】横抱き用シート本体の縦断面図である。
【図２６】最短時のヘッドサポートベルト周辺の正面図である。
【図２７】最長時のヘッドサポートベルト周辺の正面図である。
【図２８】連結解除状態におけるブリッジベルト周辺の拡大正面図である。
【図２９】ブリッジベルトカバーを手繰り寄せた状態におけるブリッジベルト周辺の拡大正面図である。
【図３０】収容途中の状態におけるブリッジベルト周辺の拡大正面図である。
【図３１】収容完了状態におけるブリッジベルト周辺の拡大正面図である。
【図３２】股ぐり部周辺の拡大背面図である。
【図３３】図３２のＡ−Ａ矢視縦断面図である。
【図３４】変形状態における股ぐり部周辺の拡大背面図である。
【図３５】図３４のＢ−Ｂ矢視縦断面図である。
【図３６】可動部周辺の拡大縦断面図である。
【図３７】変形状態における可動部周辺の拡大縦断面図である。
【図３８】荷重調整部周辺の拡大背面図である。
【図３９】従来の股ぐり部周辺を概念的に示す図である。
【図４０】本発明の実施の形態に係る股ぐり部周辺を概念的に示す図である。
【図４１】頭部周辺の固定構造を示す正面図である。
【図４２】固定時におけるベルトまとめ周辺の拡大斜視図である。
【図４３】固定解除時におけるベルトまとめ周辺の拡大斜視図である。
【図４４】収納袋を収納するポケットの周辺の拡大正面図である。
【図４５】収納袋からポケットを取り出した状態における縦抱き用シートの正面図である。
【図４６】縦抱き用シートの収容手順を示す正面図である。
【図４７】図４６に続く、縦抱き用シートの収容手順を示す正面図である。
【図４８】図４７に続く、縦抱き用シートの収容手順を示す正面図である。
【図４９】縦抱き用シートの収容完了後の状態を示す正面図である。
【図５０】収容袋をベビーカーの手すり部分に取り付けた状態を示す斜視図である。
【図５１】収容袋をバッグの手提げ部分に取り付けた状態を示す斜視図である。
【図５２】図４４のＣ−Ｃ矢視縦断面図である。
【図５３】ブリッジベルトの変形例を示す拡大正面図である。
【図５４】図５３に続く、ブリッジベルトの収容状態を示す図である。
【図５５】ブリッジベルトの収容完了後の状態を示す図である。
【図５６】ブリッジベルトの他の変形例を示す拡大正面図である。
【図５７】ブリッジベルトの収容完了後の状態を示す図である。
【図５８】表生地と裏布地との相互の接続箇所の変形例を示す縦抱き用シート本体の縦断面図である。
【図５９】着脱構造の第１の変形例に係る横抱き用シートの背面図である。
【図６０】着脱構造の第２の変形例に係る横抱き用シートの背面図である。
【図６１】着脱構造の第２の変形例に係る縦抱き用シートの背面図である。
【図６２】着脱構造の第３の変形例に係る横抱き用シートの背面図である。
【図６３】着脱構造の第４の変形例に係る横抱き用シートの背面図である。
【図６４】着脱構造の第４の変形例に係る縦抱き用シートの背面図である。
【図６５】着脱構造の第５の変形例に係る横抱き用シートの背面図である。
【図６６】着脱構造の第５の変形例に係る縦抱き用シートの背面図である。
【図６７】着脱構造の第６の変形例に係る横抱き用シートの背面図である。
【図６８】着脱構造の第６の変形例に係る縦抱き用シートの正面図である。
【図６９】着脱構造の第７の変形例に係る縦抱き用シートの正面図である。
【図７０】保持構造の変形例であり、収納袋を取り出した状態における縦抱き用シート１０の正面図である。
【図７１】縦抱き用シートの収容手順を示す正面図である。
【図７２】図７１に続く、縦抱き用シートの収容手順を示す正面図である。
【図７３】図７２に続く、縦抱き用シートの収容手順を示す正面図である。
【図７４】図７３に続く、縦抱き用シートの収容手順を示す正面図である。
【図７５】図７４に続く、縦抱き用シートの収容手順を示す正面図である。
【図７６】保持構造の変形例であり、固定ベルトによる保持構造を示す正面図である。
【図７７】保持構造の変形例であり、固定ベルトによる保持完了後の状態を示す正面図である。
【図７８】保持構造の他の変形例であり、ホールドベルトによる保持構造を示す正面図である。
【図７９】保持構造の他の変形例であり、ホールドベルトによる保持完了後の状態を示す正面図である。
【図８０】保持構造の他の変形例であり、ボタン及びフックによる保持構造を示す正面図である。
【図８１】保持構造の他の変形例であり、ボタン及びフックによる保持完了後の状態を示す正面図である。
【符号の説明】
【０１２３】
１  子守帯
１０  縦抱き用シート
１１  縦抱き用シート本体
１１ａ、５１ａ、５４ｂ、７１ａ、１１２ａ、１４４ａ、１４７ｂ  メスホック
１２  ヘッドサポート
１２ａ  ベルトポケット
１２ｂ、１４７ａ、１４９ａ  開口
１３  肩帯
１４、１３１  ブリッジベルト
１５  脇ベルト
１６  足繰りベルト
１７  縫合ライン
１８  ファスナ
２０  ヘッドサポートベルト
２１  ベルト本体
２１ａ  余長部分
２２、２８  ラダーロック
２３、１５３  フック
２４  リング
２５  腕口
２６、３２、１５２ｂ  メスバックル
２６ａ、３４ａ  操作部
２７、３１、１５２ａ  オスバックル
２９  結束ゴム
３０  回転バックル
３３、３５  ベース
３３ａ、３５ａ、３６ｂ  リング
３３ｂ、３５ｂ  スリット
３４  タング
３６  ソケット
３６ａ、７４、７５  空間部
４０  足繰りベルト本体
４１  伸縮ベルト
４２  ベルトカバー
４３  脚口
５０  横抱き用シート
５１、１４０  横抱き用シート本体
５１ｂ、１１３、１４３ｂ、１５１ａ  面ファスナ
５２  ヘッドガード
５３、１５２  ホールドベルト
５４  ベルトまとめ
５４ａ、７２ａ、１１１ａ、１４０ａ、１４１ａ、１４３ａ、１４４ｂ、１４６ａ、１４８ａ  オスホック
５５  硬質ボード
５５ａ  通気孔
５６  発泡材
５７、８１、１０４  表生地
５８、１０３  クッション材
５９、８２、１０５  裏生地
６０  切欠き部
７０  ベルトカバー
７１  表面カバー
７２  裏面カバー
７３、８３、１０８、１０９、１３３  縫合ライン
８０  ブリッジベルトカバー
９０、９１、１２０、１３０、１３２  ポケット
９０ａ、９１ａ、１０６、１２０ａ、１２１ａ  開口
１００  股ぐり部
１０１、１０２  側辺
１０７  可動部
１０７ａ  荷重調整部
１１０  取り付け部
１１１、１１２  突出片
１４９、１５０  メッシュポケット
１２０ｂ、１２０ｃ  端部
１２１  収納袋
１２１ｂ  取り付けヒモ
１２２  連結ベルト
１２３  Ｓ字フック
１２４  開閉ホック
１４１、１４３、１４４、１４８  固定フラップ
１４４ｃ  折り返し線
１４５、１５０ａ  フラップ通し
１４６、１５１  固定ベルト
１４７  メッシュカバー
１５４  ボタン
【図１】
2007268074.tif 000003
【図２】
2007268074.tif 000004
【図３】
2007268074.tif 000005
【図４】
2007268074.tif 000006
【図５】
2007268074.tif 000007
【図６】
2007268074.tif 000008
【図７】
2007268074.tif 000009
【図８】
2007268074.tif 000010
【図９】
2007268074.tif 000011
【図１０】
2007268074.tif 000012
【図１１】
2007268074.tif 000013
【図１２】
2007268074.tif 000014
【図１３】
2007268074.tif 000015
【図１４】
2007268074.tif 000016
【図１５】
2007268074.tif 000017
【図１６】
2007268074.tif 000018
【図１７】
2007268074.tif 000019
【図１８】
2007268074.tif 000020
【図１９】
2007268074.tif 000021
【図２０】
2007268074.tif 000022
【図２１】
2007268074.tif 000023
【図２２】
2007268074.tif 000024
【図２３】
2007268074.tif 000025
【図２４】
2007268074.tif 000026
【図２５】
2007268074.tif 000027
【図２６】
2007268074.tif 000028
【図２７】
2007268074.tif 000029
【図２８】
2007268074.tif 000030
【図２９】
2007268074.tif 000031
【図３０】
2007268074.tif 000032
【図３１】
2007268074.tif 000033
【図３２】
2007268074.tif 000034
【図３３】
2007268074.tif 000035
【図３４】
2007268074.tif 000036
【図３５】
2007268074.tif 000037
【図３６】
2007268074.tif 000038
【図３７】
2007268074.tif 000039
【図３８】
2007268074.tif 000040
【図３９】
2007268074.tif 000041
【図４０】
2007268074.tif 000042
【図４１】
2007268074.tif 000043
【図４２】
2007268074.tif 000044
【図４３】
2007268074.tif 000045
【図４４】
2007268074.tif 000046
【図４５】
2007268074.tif 000047
【図４６】
2007268074.tif 000048
【図４７】
2007268074.tif 000049
【図４８】
2007268074.tif 000050
【図４９】
2007268074.tif 000051
【図５０】
2007268074.tif 000052
【図５１】
2007268074.tif 000053
【図５２】
2007268074.tif 000054
【図５３】
2007268074.tif 000055
【図５４】
2007268074.tif 000056
【図５５】
2007268074.tif 000057
【図５６】
2007268074.tif 000058
【図５７】
2007268074.tif 000059
【図５８】
2007268074.tif 000060
【図５９】
2007268074.tif 000061
【図６０】
2007268074.tif 000062
【図６１】
2007268074.tif 000063
【図６２】
2007268074.tif 000064
【図６３】
2007268074.tif 000065
【図６４】
2007268074.tif 000066
【図６５】
2007268074.tif 000067
【図６６】
2007268074.tif 000068
【図６７】
2007268074.tif 000069
【図６８】
2007268074.tif 000070
【図６９】
2007268074.tif 000071
【図７０】
2007268074.tif 000072
【図７１】
2007268074.tif 000073
【図７２】
2007268074.tif 000074
【図７３】
2007268074.tif 000075
【図７４】
2007268074.tif 000076
【図７５】
2007268074.tif 000077
【図７６】
2007268074.tif 000078
【図７７】
2007268074.tif 000079
【図７８】
2007268074.tif 000080
【図７９】
2007268074.tif 000081
【図８０】
2007268074.tif 000082
【図８１】
2007268074.tif 000083